(57)【特許請求の範囲】
【請求項１】
ワイヤレス通信の方法であって、
ユーザ機器（ＵＥ）により、前記ＵＥのマルチプルアップリンク能力を報告することと、
２つ以上のタイミング調整グループ（ＴＡＧ）に属する２つ以上のノードについてのマルチフローアップリンク送信を前記ＵＥが行うための構成を受信することと、ここにおいて、前記２つ以上のノードの各々が、前記２つ以上のＴＡＧのうちの別々のＴＡＧに属する、
前記ＵＥにより、前記２つ以上のノードのうちの少なくとも２つのノードに少なくとも２つの物理アップリンク制御チャネル（ＰＵＣＣＨ）を送信することと、ここにおいて、前記少なくとも２つのＰＵＣＣＨの各々は、前記少なくとも２つのノードのうちの対応するノード用に生成される、
を備え、前記少なくとも２つのノードは、ブースタまたはセカンダリノードを含み、
前記方法は、さらに、前記ＵＥにより、前記ブースタまたはセカンダリノードに電力ヘッドルーム報告を送信することを備え、ここで、前記電力ヘッドルーム報告は、前記ブースタまたはセカンダリノードについての前記ＵＥの最大許容送信電力から、前記ブースタまたはセカンダリノードに対するＰＵＣＣＨ送信に割り振られた第１の送信電力と、前記ブースタまたはセカンダリノードに対するＰＵＳＣＨ送信に割り振られた第２の送信電力とを引いたものを含む、
方法。
【請求項２】
ワイヤレス通信のために構成されたユーザ機器（ＵＥ）であって、
前記ＵＥのマルチプルアップリンク能力を報告するための手段と、
２つ以上のタイミング調整グループ（ＴＡＧ）に属する２つ以上のノードについてのマルチフローアップリンク送信を前記ＵＥが行うための構成を受信するための手段と、ここにおいて、前記２つ以上のノードの各々が、前記２つ以上のＴＡＧのうちの別々のＴＡＧに属する、
前記ＵＥにより、前記２つ以上のノードのうちの少なくとも２つのノードに少なくとも２つの物理アップリンク制御チャネル（ＰＵＣＣＨ）を送信するための手段と、ここにおいて、前記少なくとも２つのＰＵＣＣＨの各々は、前記少なくとも２つのノードのうちの対応するノード用に生成される、
を備え、前記少なくとも２つのノードは、ブースタまたはセカンダリノードを含み、
前記ＵＥは、さらに、前記ブースタまたはセカンダリノードに電力ヘッドルーム報告を送信するための手段を備え、ここで、前記電力ヘッドルーム報告は、前記ブースタまたはセカンダリノードについての前記ＵＥの最大許容送信電力から、前記ブースタまたはセカンダリノードに対するＰＵＣＣＨ送信に割り振られた第１の送信電力と、前記ブースタまたはセカンダリノードに対するＰＵＳＣＨ送信に割り振られた第２の送信電力とを引いたものを含む、
ＵＥ。
【請求項３】
プログラムコードを記録したコンピュータ可読記憶媒体であって、前記プログラムコードが、
ユーザ機器（ＵＥ）のマルチプルアップリンク能力を報告することを前記ＵＥに行わせるためのプログラムコードと、
２つ以上のタイミング調整グループ（ＴＡＧ）に属する２つ以上のノードについてのマルチフローアップリンク送信を行うことを前記ＵＥに行わせるためのプログラムコードと、ここにおいて、前記２つ以上のノードの各々が、前記２つ以上のＴＡＧのうちの別々のＴＡＧに属する、
前記２つ以上のノードのうちの少なくとも２つのノードに少なくとも２つの物理アップリンク制御チャネル（ＰＵＣＣＨ）を送信することを前記ＵＥに行わせるためのプログラムコードと、ここにおいて、前記少なくとも２つのＰＵＣＣＨの各々は、前記少なくとも２つのノードのうちの対応するノード用に生成される、
を含み、前記少なくとも２つのノードは、ブースタまたはセカンダリノードを含み、
前記プログラムコードは、さらに、前記ブースタまたはセカンダリノードに電力ヘッドルーム報告を送信することを前記ＵＥに行わせるためのプログラムコードを含み、ここで、前記電力ヘッドルーム報告は、前記ブースタまたはセカンダリノードについての前記ＵＥの最大許容送信電力から、前記ブースタまたはセカンダリノードに対するＰＵＣＣＨ送信に割り振られた第１の送信電力と、前記ブースタまたはセカンダリノードに対するＰＵＳＣＨ送信に割り振られた第２の送信電力とを引いたものを含む、
コンピュータ可読記憶媒体。
【請求項４】
ワイヤレス通信用に構成された装置であって、前記装置が、
少なくとも１つのプロセッサと、
前記少なくとも１つのプロセッサに結合されたメモリと
を備え、
ここにおいて、前記少なくとも１つのプロセッサが、
前記装置により、前記装置のマルチプルアップリンク能力を報告することと、
２つ以上のタイミング調整グループ（ＴＡＧ）に属する２つ以上のノードについてのマルチフローアップリンク送信を前記装置が行うための構成を受信することと、ここにおいて、前記２つ以上のノードの各々が、前記２つ以上のＴＡＧのうちの別々のＴＡＧに属する、
前記装置により、前記２つ以上のノードのうちの少なくとも２つのノードに少なくとも２つの物理アップリンク制御チャネル（ＰＵＣＣＨ）を送信することと
を行うように構成され、ここにおいて、前記少なくとも２つのＰＵＣＣＨの各々は、前記少なくとも２つのノードのうちの対応するノード用に生成され、前記少なくとも２つのノードは、ブースタまたはセカンダリノードを含み、
前記プロセッサは、さらに、前記装置により、前記ブースタまたはセカンダリノードに電力ヘッドルーム報告を送信することを備え、ここで、前記電力ヘッドルーム報告は、前記ブースタまたはセカンダリノードについての前記装置の最大許容送信電力から、前記ブースタまたはセカンダリノードに対するＰＵＣＣＨ送信に割り振られた第１の送信電力と、前記ブースタまたはセカンダリノードに対するＰＵＳＣＨ送信に割り振られた第２の送信電力とを引いたものを含む、
装置。
【請求項５】
前記２つ以上のノードのうちの前記少なくとも２つのノードのうちの少なくとも１つのノードは、セカンダリセルである、請求項１に記載の方法。
【請求項６】
前記２つ以上のノードのうちの前記少なくとも２つのノードのうちの少なくとも１つのノードは、セカンダリセルである、請求項２に記載のユーザ機器（ＵＥ）。
【請求項７】
前記２つ以上のノードのうちの前記少なくとも２つのノードのうちの少なくとも１つのノードは、セカンダリセルである、請求項３に記載のコンピュータ可読記憶媒体。
【請求項８】
前記２つ以上のノードのうちの前記少なくとも２つのノードのうちの少なくとも１つのノードは、セカンダリセルである、請求項４に記載の装置。
【請求項９】
前記ＵＥの前記マルチプルアップリンク能力は、異なる送信周波数に同時に調整する前記ＵＥの能力に対応する、請求項１に記載の方法。
【請求項１０】
前記ＵＥは、前記ブースタまたはセカンダリノードから受信される送信電力制御コマンドにしたがって前記ブースタまたはセカンダリノードへのＰＵＣＣＨ送信を行う、請求項１に記載の方法。
【請求項１１】
前記ＵＥの最大利用可能電力が前記少なくとも２つのＰＵＣＣＨ送信のすべてを送信するのに十分ではないと決定することに応答して、アンカーノードを対象とするＰＵＣＣＨ送信に優先順位を付けることをさらに備える、請求項１に記載の方法。
【請求項１２】
前記ＵＥの最大利用可能電力が前記少なくとも２つのＰＵＣＣＨ送信のすべてを送信するのに十分ではないと決定することに応答して、ＰＵＣＣＨ送信にわたって送信電力をスケール変更することをさらに備える、請求項１に記載の方法。
【請求項１３】
前記ＵＥの前記マルチプルアップリンク能力は、異なる送信周波数に同時に調整する前記ＵＥの能力に対応する、請求項２に記載のＵＥ。
【請求項１４】
前記ＵＥは、前記ブースタまたはセカンダリノードから受信される送信電力制御コマンドにしたがって前記ブースタまたはセカンダリノードへのＰＵＣＣＨ送信を行う、請求項２に記載のＵＥ。
【請求項１５】
前記ＵＥの最大利用可能電力が前記少なくとも２つのＰＵＣＣＨ送信のすべてを送信するのに十分ではないと決定することに応答して、アンカーノードを対象とするＰＵＣＣＨ送信に優先順位を付けるための手段をさらに備える、請求項２に記載のＵＥ。
【請求項１６】
前記ＵＥの最大利用可能電力が前記少なくとも２つのＰＵＣＣＨ送信のすべてを送信するのに十分ではないと決定することに応答して、ＰＵＣＣＨ送信にわたって送信電力をスケール変更するための手段をさらに備える、請求項２に記載のＵＥ。
【請求項１７】
前記ＵＥの前記マルチプルアップリンク能力は、異なる送信周波数に同時に調整する前記ＵＥの能力に対応する、請求項３に記載のコンピュータ可読記憶媒体。
【請求項１８】
前記プログラムコードは、前記ブースタまたはセカンダリノードから受信される送信電力制御コマンドにしたがって前記ブースタまたはセカンダリノードへのＰＵＣＣＨ送信を行うためのプログラムコードをさらに含む、請求項３に記載のコンピュータ可読記憶媒体。
【請求項１９】
前記プログラムコードは、前記ＵＥの最大利用可能電力が前記少なくとも２つのＰＵＣＣＨ送信のすべてを送信するのに十分ではないと決定することに応答して、アンカーノードを対象とするＰＵＣＣＨ送信に優先順位を付けるためのプログラムコードをさらに含む、請求項３に記載のコンピュータ可読記憶媒体。
【請求項２０】
前記プログラムコードは、前記ＵＥの最大利用可能電力が前記少なくとも２つのＰＵＣＣＨ送信のすべてを送信するのに十分ではないと決定することに応答して、ＰＵＣＣＨ送信にわたって送信電力をスケール変更するためのプログラムコードをさらに含む、請求項３に記載のコンピュータ可読記憶媒体。
【請求項２１】
前記装置の前記マルチプルアップリンク能力は、異なる送信周波数に同時に調整する前記装置の能力に対応する、請求項４に記載の装置。
【請求項２２】
前記装置は、前記ブースタまたはセカンダリノードから受信される送信電力制御コマンドにしたがって前記ブースタまたはセカンダリノードへのＰＵＣＣＨ送信を行う、請求項４に記載の装置。
【請求項２３】
前記少なくとも１つのプロセッサは、前記装置の最大利用可能電力が前記少なくとも２つのＰＵＣＣＨ送信のすべてを送信するのに十分ではないと決定することに応答して、アンカーノードを対象とするＰＵＣＣＨ送信に優先順位を付けるようにさらに構成される、請求項４に記載の装置。
【請求項２４】
前記少なくとも１つのプロセッサは、前記装置の最大利用可能電力が前記少なくとも２つのＰＵＣＣＨ送信のすべてを送信するのに十分ではないと決定することに応答して、ＰＵＣＣＨ送信にわたって送信電力をスケール変更するようにさらに構成される、請求項４に記載の装置。
【発明の詳細な説明】
【技術分野】
【０００１】
関連出願の相互参照
[0001]本出願は、その全体が参照により本明細書に明確に組み込まれる、２０１２年１１月１２日に出願された「UPLINK CONTROL AND DATA TRANSMISSION IN MULTIFLOW-ENABLED NETWORKS」と題する米国仮特許出願第６１／７２５，３６８号、および２０１２年１１月１２日に出願された「UPLINK TRANSMISSION FOR CARRIER AGGREGATION VIA MULTIPLE NODES」と題する米国仮特許出願第６１／７２５，３９９号の利益を主張する。
【０００２】
[0002]本開示の態様は、一般に、ワイヤレス通信システムに関し、より詳細には、マルチフロー対応ネットワーク内のアップリンク制御およびデータ送信に関する。
【背景技術】
【０００３】
[0003]ワイヤレス通信ネットワークは、音声、ビデオ、パケットデータ、メッセージング、ブロードキャストなどの様々な通信サービスを提供するために広く展開されている。これらのワイヤレスネットワークは、利用可能なネットワークリソースを共有することによってマルチプルなユーザをサポートすることが可能な多元接続ネットワークであり得る。そのようなネットワークは、通常、多元接続ネットワークであり、利用可能なネットワークリソースを共有することによってマルチプルなユーザのための通信をサポートする。そのようなネットワークの一例は、ユニバーサル地上波無線アクセスネットワーク（ＵＴＲＡＮ）である。ＵＴＲＡＮは、第３世代パートナーシッププロジェクト（３ＧＰＰ）によってサポートされる第３世代（３Ｇ）モバイルフォン技術である、ユニバーサルモバイルテレコミュニケーションシステム（ＵＭＴＳ）の一部として定義された無線アクセスネットワーク（ＲＡＮ）である。多元接続ネットワークフォーマットの例には、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、およびシングルキャリアＦＤＭＡ（ＳＣ−ＦＤＭＡ）ネットワークが含まれる。
【０００４】
[0004]ワイヤレス通信ネットワークは、複数のユーザ機器（ＵＥ）のための通信をサポートすることができる、複数の基地局またはノードＢを含む場合がある。ＵＥは、ダウンリンクおよびアップリンクを介して基地局と通信することができる。ダウンリンク（または順方向リンク）は基地局からＵＥへの通信リンクを指し、アップリンク（または逆方向リンク）はＵＥから基地局への通信リンクを指す。
【０００５】
[0005]基地局は、ＵＥにダウンリンク上でデータと制御情報とを送信することができ、かつ／またはＵＥからアップリンク上でデータと制御情報とを受信することができる。ダウンリンク上では、基地局からの送信は、近隣基地局からの送信による干渉、または他のワイヤレス無線周波数（ＲＦ）送信機からの送信による干渉に遭遇する場合がある。アップリンク上では、ＵＥからの送信は、近隣基地局と通信する他のＵＥのアップリンク送信からの干渉、または他のワイヤレスＲＦ送信機からの干渉に遭遇する場合がある。この干渉は、ダウンリンクとアップリンクの両方でパフォーマンスを劣化させる可能性がある。
【０００６】
[0006]モバイルブロードバンドアクセスに対する需要が増加し続けるにつれて、干渉および輻輳ネットワークの可能性は、より多くのＵＥが長距離ワイヤレス通信ネットワークにアクセスし、かつより多くの短距離ワイヤレスシステムがコミュニティにおいて展開されるようになるとともに増大する。モバイルブロードバンドアクセスに対する増大する需要を満たすためだけでなく、モバイル通信のユーザ体験を進化および向上させるためにも、ＵＭＴＳ技術を進化させる研究および開発が続けられている。
【発明の概要】
【０００７】
[0007]本開示の様々な態様は、方法、装置、様々なアクションと特徴とをコンピュータに実行させるプログラムコードを含む非一時的コンピュータ可読媒体、および本明細書に記載されるアクションと機能とを実行するように構成されたプロセッサとメモリとを含む装置に関する。これらの方法、装置、および媒体の各々は、本明細書に記載され、添付の図の中で示される様々な態様と特徴とを具現化することができる。そのような例は、本明細書に記載される概念および要素の非限定的な実装形態のみを提供する。
【０００８】
[0008]本開示の様々な態様は、ＵＥにおいて、ＵＥと通信するセカンダリセルについての物理アップリンク制御チャネル（ＰＵＣＣＨ）送信をコンパイル（compiling）することと、セカンダリセルから送信電力制御コマンドを受信することであって、送信電力制御はダウンリンク制御情報メッセージ内で受信される、受信することと、送信電力制御コマンドに従ってセカンダリセルにＰＵＣＣＨを送信することとに関する。
【０００９】
[0009]本開示のさらなる態様は、ＵＥにおいて、２つ以上のセルに対するマルチフローアップリンク送信のために複数のＰＵＣＣＨ送信と１つまたは複数の物理アップリンク共有チャネル（ＰＵＳＣＨ）送信とを準備することと、ＵＥにおいて、ＵＥが電力制限されていると決定することと、複数のＰＵＣＣＨ送信にわたるＵＥの電力割振りに優先順位を付けることと、１つまたは複数のＰＵＳＣＨ送信にわたるＵＥの電力割振りに優先順位を付けることとに関する。
【００１０】
[0010]本開示のさらなる態様は、ＵＥにより、ＵＥのマルチプルアップリンク能力を報告することと、１つまたは複数のセルが属するタイミング調整グループ（ＴＡＧ）にかかわらず、ＵＥが１つまたは複数のセルについてのマルチフローアップリンク送信を行うための構成を受信することとに関する。
【００１１】
[0011]本開示のさらなる態様は、ＵＥにより、ＵＥのシングルアップリンク能力を報告することと、ＵＥにおいて、同じＴＡＧに属する１つまたは複数のセルの各々に応答したときのみ、ＵＥが１つまたは複数のセルについてのマルチフローアップリンク送信を行うための構成を受信することとに関する。
【００１２】
[0012]本開示のさらなる態様は、マルチフロー動作のために構成されたＵＥにおいて、サウンディング基準信号（ＳＲＳ）がマルチフロー内の複数のセルのために構成されていると決定することと、ＵＥにおいて、ＵＥがシングルアップリンク能力を有していると決定することと、複数のセルの各々についてのセル識別子（ＩＤ）を識別することと、ＳＲＳの衝突が検出されたサブフレーム内のセルＩＤにしたがってＳＲＳの送信に優先順位を付けることとに関する。
【００１３】
[0013]本開示のさらなる態様は、マルチフロー動作のために構成されたＵＥにおいて、セカンダリセルについての電力ヘッドルーム報告を準備することであって、電力ヘッドルーム報告は、セカンダリセルに対するＰＵＣＣＨ送信に割り振られた第１の送信電力とＰＵＳＣＨ送信に割り振られた第２の送信電力とを引いたそのセルのためのＵＥの最大許容送信電力を含む、準備することと、セカンダリセルに電力ヘッドルーム報告を送信することとに関する。
【００１４】
[0014]本開示のさらなる態様は、マルチフロー動作のために構成されたＵＥにおいて、プライマリセルおよびセカンダリセルについての電力ヘッドルーム報告を準備することであって、電力ヘッドルーム報告は、１つまたは複数のＰＵＳＣＨ送信に割り振られた第１の送信電力を引いた対応するセルのためのＵＥの最大許容送信電力を含む、準備することと、プライマリセルおよびセカンダリセルに電力ヘッドルーム報告を送信することとに関する。
【００１５】
[0015]本開示のさらなる態様は、セカンダリセルにおいて、マルチフロー動作のために構成されたサービスされるＵＥから電力ヘッドルーム報告を受信することであって、電力ヘッドルーム報告は、セカンダリセルに対するＰＵＣＣＨ送信に割り振られた第１の送信電力とＰＵＳＣＨ送信に割り振られた第２の送信電力とを引いたＵＥの最大許容送信電力を含む、受信することと、セカンダリセルにおいて、電力ヘッドルーム報告に基づいてサービスされるＵＥとの通信をスケジュールすることとに関する。
【００１６】
[0016]本開示のさらなる態様は、セカンダリセルにおいて、マルチフロー動作のために構成されたサービスされるＵＥから電力ヘッドルーム報告を受信することであって、電力ヘッドルーム報告は、１つまたは複数のＰＵＳＣＨ送信に割り振られた第１の送信電力を引いたＵＥの最大許容送信電力を含む、受信することと、セカンダリセルにおいて、電力ヘッドルーム報告に基づいてサービスされるＵＥとの通信をスケジュールすることとに関する。
【００１７】
[0017]本開示のさらなる態様は、マルチフロー動作のために構成されたＵＥにおいて、１つまたは複数のセカンダリセルについての不連続受信（ＤＲＸ）サブフレームのセカンダリセットのための構成を受信することであって、１つまたは複数のセカンダリセルについてのセカンダリセットは、プライマリセルのＤＲＸサブフレームのプライマリセットに関係する、受信することと、ＵＥにより、ＤＲＸサブフレームのセカンダリセットにしたがってＵＥの１つまたは複数の無線をチューンアウェイすることとに関する。
【００１８】
[0018]本開示の追加の態様では、マルチアップリンク対応のＵＥによるワイヤレス通信の方法は、ＵＥにおいて、複数のＣＣを介してＵＥとマルチフロー通信する複数のノード向けの複数のアップリンク制御チャネル送信を準備することであって、複数のノードは、ＵＥと通信するためのプライマリセル（ＰＣｅｌｌ）を有する第１のノードと、ＵＥと通信するためのセカンダリセル（ＳＣｅｌｌ）を有する第２のノードとを備え、複数のアップリンク制御チャネル送信の各々は、対応するノードに関連付けられた複数のＣＣのうちの１つのＣＣ上の複数のノードのうちの対応するノードのために構成される、準備することと、複数のノードのＳＣｅｌｌ上で送信電力制御コマンドを受信することであって、送信電力制御は、第２のノードからのダウンリンク制御情報メッセージ内で受信される、受信することと、送信電力制御コマンドに従って第２のノードに複数のアップリンク制御チャネル送信のうちの１つのアップリンク制御チャネル送信を送信することとを含む。
【００１９】
[0019]本開示の追加の態様では、ワイヤレス通信の方法は、ＵＥにおいて、コロケートされていない２つ以上のノードに対するマルチフローアップリンク送信のために複数のアップリンク制御チャネル送信と１つまたは複数のアップリンク共有チャネル送信とを準備することと、ＵＥにおいて、ＵＥが電力制限されていると決定することと、複数のアップリンク制御信号送信にわたる電力割振りの適用が、１つまたは複数のアップリンク共有チャネル送信にわたる電力割振りの適用よりも優先される優先順位付けに従って、ＵＥの電力割振りを適用することとを含む。
【００２０】
[0020]本開示の追加の態様では、ワイヤレス通信の方法は、ＵＥにより、ＵＥのマルチプルアップリンク能力を報告することと、１つまたは複数のＴＡＧに属する１つまたは複数のコロケートされていないノード向けのマルチフローアップリンク送信をＵＥが行うための構成を受信することとを含み、１つまたは複数のコロケートされていないノードの各々は、１つまたは複数のＴＡＧのうちの別々のＴＡＧに属する。
【００２１】
[0021]本開示の追加の態様では、ワイヤレス通信の方法は、ＵＥにより、ＵＥとのマルチフロー通信する複数のコロケートされていないノードの各々についての複数のＳＲＳを生成することと、ＵＥにおいて、ＵＥがシングルアップリンク能力を有すると決定することと、複数のコロケートされていないノードの各々についてのセルＩＤを識別することと、複数のＳＲＳのうちの２つ以上のＳＲＳの衝突が検出されたサブフレームにおいてセルＩＤにしたがって複数のＳＲＳの送信に優先順位を付けることとを含む。
【００２２】
[0022]本開示の追加の態様では、ワイヤレス通信の方法は、複数のコロケートされていないノードとのマルチフロー動作のために構成されたＵＥにおいて、複数のコロケートされていないノードのうちのブースタノードまたはセカンダリノードについての電力ヘッドルーム報告を準備することであって、電力ヘッドルーム報告は、ブースタノードまたはセカンダリノードに対するアップリンク制御信号送信に割り振られた第１の送信電力とアップリンク共有チャネル送信に割り振られた第２の送信電力とを引いたブースタノードまたはセカンダリノードのためのＵＥの最大許容送信電力を含む、準備することと、ブースタノードまたはセカンダリノードに電力ヘッドルーム報告を送信することとを含む。
【００２３】
[0023]本開示の追加の態様では、ワイヤレス通信の方法は、複数のコロケートされていないノードのうちのブースタノードまたはセカンダリノードにおいて、複数のコロケートされていないノードとのマルチフロー動作のために構成されたサービスされるＵＥから電力ヘッドルーム報告を受信することであって、電力ヘッドルーム報告は、ブースタノードまたはセカンダリノードに対するアップリンク制御信号送信に割り振られた第１の送信電力とアップリンク共有チャネル送信に割り振られた第２の送信電力とを引いたＵＥの最大許容送信電力を含む、受信することと、ブースタノードまたはセカンダリノードにおいて、電力ヘッドルーム報告に基づいてサービスされるＵＥとの通信をスケジュールすることとを含む。
【００２４】
[0024]本開示の追加の態様では、ワイヤレス通信の方法は、複数のコロケートされていないノードとのマルチフロー動作のために構成されたＵＥにおいて、複数のコロケートされていないノードの１つまたは複数のセカンダリセルについてのＤＲＸサブフレームのセカンダリセットのための構成を受信することであって、１つまたは複数のセカンダリセルについてのＤＲＸサブフレームのセカンダリセットは、複数のコロケートされていないノードのプライマリセルのＤＲＸサブフレームのプライマリセットとは別である、受信することと、ＵＥにより、ＤＲＸサブフレームのセカンダリセットにしたがってＵＥの１つまたは複数の無線をチューンアウェイすることとを含む。
【００２５】
[0025]本開示の追加の態様では、ワイヤレス通信のために構成された装置は、ＵＥにおいて、複数のＣＣを介してＵＥとマルチフロー通信する複数のノードについての複数のアップリンク制御チャネル送信を準備するための手段であって、複数のノードは、ＵＥと通信するためのプライマリセル（ＰＣｅｌｌ）を有する第１のノードとＵＥと通信するためのセカンダリセル（ＳＣｅｌｌ）を有する第２のノードとを備え、複数のアップリンク制御チャネル送信の各々は、対応するノードに関連付けられた複数のＣＣのうちの１つのＣＣ上の複数のノードのうちの対応するノードのために構成される、準備するための手段と、複数のノードのＳＣｅｌｌ上で送信電力制御コマンドを受信するための手段であって、送信電力制御は、第２のノードからのダウンリンク制御情報メッセージ内で受信される、受信するための手段と、送信電力制御コマンドに従って第２のノードに複数のアップリンク制御チャネル送信のうちの１つのアップリンク制御チャネル送信を送信するための手段とを含む。
【００２６】
[0026]本開示の追加の態様では、ワイヤレス通信のために構成された装置は、ＵＥにおいて、２つ以上のコロケートされていないノードに対するマルチフローアップリンク送信のために複数のアップリンク制御チャネル送信と１つまたは複数のアップリンク共有チャネル送信とを準備するための手段と、ＵＥにおいて、ＵＥが電力制限されていると決定するための手段と、複数のアップリンク制御信号送信にわたる電力割振りの適用が、１つまたは複数のアップリンク共有チャネル送信にわたる電力割振りの適用よりも優先される優先順位付けに従って、ＵＥの電力割振りを適用するための手段とを含む。
【００２７】
[0027]本開示の追加の態様では、ワイヤレス通信のために構成された装置は、ＵＥにより、ＵＥのマルチプルアップリンク能力を報告するための手段と、１つまたは複数のＴＡＧに属する１つまたは複数のコロケートされていないノード向けのマルチフローアップリンク送信をＵＥが行うための構成を受信するための手段とを含み、１つまたは複数のコロケートされていないノードの各々は、１つまたは複数のＴＡＧのうちの別々のＴＡＧに属する。
【００２８】
[0028]本開示の追加の態様では、ワイヤレス通信のために構成された装置は、ＵＥにより、ＵＥとのマルチフロー通信する複数のコロケートされていないノードの各々についての複数のＳＲＳを生成するための手段と、ＵＥにおいて、ＵＥがシングルアップリンク能力を有すると決定するための手段と、複数のコロケートされていないノードの各々についてのセルＩＤを識別するための手段と、複数のＳＲＳのうちの２つ以上のＳＲＳの衝突が検出されたサブフレームにおいてセルＩＤにしたがって複数のＳＲＳの送信に優先順位を付けるための手段とを含む。
【００２９】
[0029]本開示の追加の態様では、ワイヤレス通信のために構成された装置は、複数のコロケートされていないノードとのマルチフロー動作のために構成されたＵＥにおいて、複数のコロケートされていないノードのうちのブースタノードまたはセカンダリノードについての電力ヘッドルーム報告を準備するための手段であって、電力ヘッドルーム報告は、ブースタノードまたはセカンダリノードに対するアップリンク制御信号送信に割り振られた第１の送信電力とアップリンク共有チャネル送信に割り振られた第２の送信電力とを引いたブースタノードまたはセカンダリノードのためのＵＥの最大許容送信電力を含む、準備するための手段と、ブースタノードまたはセカンダリノードに電力ヘッドルーム報告を送信するための手段とを含む。
【００３０】
[0030]本開示の追加の態様では、ワイヤレス通信のために構成された装置は、複数のコロケートされていないノードのうちのブースタノードまたはセカンダリノードにおいて、複数のコロケートされていないノードとのマルチフロー動作のために構成されたサービスされるＵＥから電力ヘッドルーム報告を受信するための手段であって、電力ヘッドルーム報告は、ブースタノードまたはセカンダリノードに対するアップリンク制御信号送信に割り振られた第１の送信電力とアップリンク共有チャネル送信に割り振られた第２の送信電力とを引いたＵＥの最大許容送信電力を含む、受信するための手段と、ブースタノードまたはセカンダリノードにおいて、電力ヘッドルーム報告に基づいてサービスされるＵＥとの通信をスケジュールするための手段とを含む。
【００３１】
[0031]本開示の追加の態様では、ワイヤレス通信のために構成された装置は、複数のコロケートされていないノードとのマルチフロー動作のために構成されたＵＥにおいて、複数のコロケートされていないノードの１つまたは複数のセカンダリセルについてのＤＲＸサブフレームのセカンダリセットのための構成を受信するための手段であって、１つまたは複数のセカンダリセルについてのＤＲＸサブフレームのセカンダリセットは、複数のコロケートされていないノードのプライマリセルのＤＲＸサブフレームのプライマリセットとは別である、受信するための手段と、ＵＥにより、ＤＲＸサブフレームのセカンダリセットにしたがってＵＥの１つまたは複数の無線をチューンアウェイするための手段とを含む。
【００３２】
[0032]本開示の追加の態様では、プログラムコードを記録しているコンピュータ可読媒体を有するコンピュータプログラム製品が開示される。このプログラムコードは、ＵＥにおいて、複数のＣＣを介してＵＥとマルチフロー通信する複数のノード向けの複数のアップリンク制御チャネル送信を準備するコードであって、複数のノードは、ＵＥと通信するためのプライマリセル（ＰＣｅｌｌ）を有する第１のノードとＵＥと通信するためのセカンダリセル（ＳＣｅｌｌ）を有する第２のノードとを備え、複数のアップリンク制御チャネル送信の各々は、対応するノードに関連付けられた複数のＣＣのうちの１つのＣＣ上の複数のノードのうちの対応するノードのために構成される、準備するコードと、複数のノードのＳＣｅｌｌ上で送信電力制御コマンドを受信するコードであって、送信電力制御は、第２のノードからのダウンリンク制御情報メッセージ内で受信される、受信するコードと、送信電力制御コマンドに従って第２のノードに複数のアップリンク制御チャネル送信のうちの１つのアップリンク制御チャネル送信を送信するコードとを含む。
【００３３】
[0033]本開示の追加の態様では、プログラムコードを記録しているコンピュータ可読媒体を有するコンピュータプログラム製品が開示される。このプログラムコードは、ＵＥにおいて、２つ以上のコロケートされていないノードに対するマルチフローアップリンク送信のために複数のアップリンク制御チャネル送信と１つまたは複数のアップリンク共有チャネル送信とを準備するコードと、ＵＥにおいて、ＵＥが電力制限されていると決定するコードと、複数のアップリンク制御信号送信にわたる電力割振りの適用が、１つまたは複数のアップリンク共有チャネル送信にわたる電力割振りの適用よりも優先される優先順位付けに従って、ＵＥの電力割振りを適用するコードとを含む。
【００３４】
[0034]本開示の追加の態様では、プログラムコードを記録しているコンピュータ可読媒体を有するコンピュータプログラム製品が開示される。このプログラムコードは、ＵＥにより、ＵＥのマルチプルアップリンク能力を報告するコードと、１つまたは複数のＴＡＧに属する１つまたは複数のコロケートされていないノード向けのマルチフローアップリンク送信をＵＥが行うための構成を受信するコードとを含み、１つまたは複数のコロケートされていないノードの各々は、１つまたは複数のＴＡＧのうちの別々のＴＡＧに属する。
【００３５】
[0035]本開示の追加の態様では、プログラムコードを記録しているコンピュータ可読媒体を有するコンピュータプログラム製品が開示される。このプログラムコードは、ＵＥにより、ＵＥとのマルチフロー通信する複数のコロケートされていないノードの各々についての複数のＳＲＳを生成するコードと、ＵＥにおいて、ＵＥがシングルアップリンク能力を有すると決定するコードと、複数のコロケートされていないノードの各々についてのセルＩＤを識別するコードと、複数のＳＲＳのうちの２つ以上のＳＲＳの衝突が検出されたサブフレームにおいてセルＩＤにしたがって複数のＳＲＳの送信に優先順位を付けるコードとを含む。
【００３６】
[0036]本開示の追加の態様では、プログラムコードを記録しているコンピュータ可読媒体を有するコンピュータプログラム製品が開示される。このプログラムコードは、複数のコロケートされていないノードとのマルチフロー動作のために構成されたＵＥにおいて、複数のコロケートされていないノードのうちのブースタノードまたはセカンダリノードについての電力ヘッドルーム報告を準備するコードであって、電力ヘッドルーム報告は、ブースタノードまたはセカンダリノードに対するアップリンク制御信号送信に割り振られた第１の送信電力とアップリンク共有チャネル送信に割り振られた第２の送信電力とを引いたブースタノードまたはセカンダリノードのためのＵＥの最大許容送信電力を含む、準備するコードと、ブースタノードまたはセカンダリノードに電力ヘッドルーム報告を送信するコードとを含む。
【００３７】
[0037]本開示の追加の態様では、プログラムコードを記録しているコンピュータ可読媒体を有するコンピュータプログラム製品が開示される。このプログラムコードは、複数のコロケートされていないノードのうちのブースタノードまたはセカンダリノードにおいて、複数のコロケートされていないノードとのマルチフロー動作のために構成されたサービスされるＵＥから電力ヘッドルーム報告を受信するコードであって、電力ヘッドルーム報告は、ブースタノードまたはセカンダリノードに対するアップリンク制御信号送信に割り振られた第１の送信電力とアップリンク共有チャネル送信に割り振られた第２の送信電力とを引いたＵＥの最大許容送信電力を含む、受信するコードと、ブースタノードまたはセカンダリノードにおいて、電力ヘッドルーム報告に基づいてサービスされるＵＥとの通信をスケジュールするコードとを含む。
【００３８】
[0038]本開示の追加の態様では、プログラムコードを記録しているコンピュータ可読媒体を有するコンピュータプログラム製品が開示される。このプログラムコードは、複数のコロケートされていないノードとのマルチフロー動作のために構成されたＵＥにおいて、複数のコロケートされていないノードの１つまたは複数のセカンダリセルについてのＤＲＸサブフレームのセカンダリセットのための構成を受信するコードであって、１つまたは複数のセカンダリセルについてのＤＲＸサブフレームのセカンダリセットは、複数のコロケートされていないノードのプライマリセルのＤＲＸサブフレームのプライマリセットとは別である、受信するコードと、ＵＥにより、ＤＲＸサブフレームのセカンダリセットにしたがってＵＥの１つまたは複数の無線をチューンアウェイするコードとを含む。
【００３９】
[0039]本開示の追加の態様では、装置は、少なくとも１つのプロセッサと、プロセッサに結合されたメモリとを含む。プロセッサは、ＵＥにおいて、複数のＣＣを介してＵＥとマルチフロー通信する複数のノード向けの複数のアップリンク制御チャネル送信を準備することであって、複数のノードは、ＵＥと通信するためのプライマリセル（ＰＣｅｌｌ）を有する第１のノードとＵＥと通信するためのセカンダリセル（ＳＣｅｌｌ）を有する第２のノードとを備え、複数のアップリンク制御チャネル送信の各々は、対応するノードに関連付けられた複数のＣＣのうちの１つのＣＣ上の複数のノードのうちの対応するノードのために構成される、準備することと、複数のノードのＳＣｅｌｌ上で送信電力制御コマンドを受信することであって、送信電力制御は、第２のノードからのダウンリンク制御情報メッセージ内で受信される、受信することと、送信電力制御コマンドに従って第２のノードに複数のアップリンク制御チャネル送信のうちの１つのアップリンク制御チャネル送信を送信することとを行うように構成される。
【００４０】
[0040]本開示の追加の態様では、装置は、少なくとも１つのプロセッサと、プロセッサに結合されたメモリとを含む。プロセッサは、ＵＥにおいて、２つ以上のコロケートされていないノードに対するマルチフローアップリンク送信のために複数のアップリンク制御チャネル送信と１つまたは複数のアップリンク共有チャネル送信とを準備することと、ＵＥにおいて、ＵＥが電力制限されていると決定することと、複数のアップリンク制御信号送信にわたる電力割振りの適用が、１つまたは複数のアップリンク共有チャネル送信にわたる電力割振りの適用よりも優先される優先順位付けに従って、ＵＥの電力割振りを適用することとを行うように構成される。
【００４１】
[0041]本開示の追加の態様では、装置は、少なくとも１つのプロセッサと、プロセッサに結合されたメモリとを含む。プロセッサは、ＵＥにより、ＵＥのマルチプルアップリンク能力を報告することと、１つまたは複数のＴＡＧに属する１つまたは複数のコロケートされていないノード向けのマルチフローアップリンク送信をＵＥが行うための構成を受信することとを行うように構成され、１つまたは複数のコロケートされていないノードの各々は、１つまたは複数のＴＡＧのうちの別々のＴＡＧに属する。
【００４２】
[0042]本開示の追加の態様では、装置は、少なくとも１つのプロセッサと、プロセッサに結合されたメモリとを含む。プロセッサは、ＵＥにより、ＵＥとのマルチフロー通信する複数のコロケートされていないノードの各々についての複数のＳＲＳを生成することと、ＵＥにおいて、ＵＥがシングルアップリンク能力を有すると決定することと、複数のコロケートされていないノードの各々についてのセルＩＤを識別することと、複数のＳＲＳのうちの２つ以上のＳＲＳの衝突が検出されたサブフレームにおいてセルＩＤにしたがって複数のＳＲＳの送信に優先順位を付けることとを行うように構成される。
【００４３】
[0043]本開示の追加の態様では、装置は、少なくとも１つのプロセッサと、プロセッサに結合されたメモリとを含む。プロセッサは、複数のコロケートされていないノードとのマルチフロー動作のために構成されたＵＥにおいて、複数のコロケートされていないノードのうちのブースタノードまたはセカンダリノードについての電力ヘッドルーム報告を準備することであって、電力ヘッドルーム報告は、ブースタノードまたはセカンダリノードに対するアップリンク制御信号送信に割り振られた第１の送信電力とアップリンク共有チャネル送信に割り振られた第２の送信電力とを引いたブースタノードまたはセカンダリノードのためのＵＥの最大許容送信電力を含む、準備することと、ブースタノードまたはセカンダリノードに電力ヘッドルーム報告を送信することとを行うように構成される。
【００４４】
[0044]本開示の追加の態様では、装置は、少なくとも１つのプロセッサと、プロセッサに結合されたメモリとを含む。プロセッサは、複数のコロケートされていないノードのうちのブースタノードまたはセカンダリノードにおいて、複数のコロケートされていないノードとのマルチフロー動作のために構成されたサービスされるＵＥから電力ヘッドルーム報告を受信することであって、電力ヘッドルーム報告は、ブースタノードまたはセカンダリノードに対するアップリンク制御信号送信に割り振られた第１の送信電力とアップリンク共有チャネル送信に割り振られた第２の送信電力とを引いたＵＥの最大許容送信電力を含む、受信することと、ブースタノードまたはセカンダリノードにおいて、電力ヘッドルーム報告に基づいてサービスされるＵＥとの通信をスケジュールすることとを行うように構成される。
【００４５】
[0045]本開示の追加の態様では、装置は、少なくとも１つのプロセッサと、プロセッサに結合されたメモリとを含む。プロセッサは、複数のコロケートされていないノードとのマルチフロー動作のために構成されたＵＥにおいて、複数のコロケートされていないノードの１つまたは複数のセカンダリセルについてのＤＲＸサブフレームのセカンダリセットのための構成を受信することであって、１つまたは複数のセカンダリセルについてのＤＲＸサブフレームのセカンダリセットは、複数のコロケートされていないノードのプライマリセルのＤＲＸサブフレームのプライマリセットとは別である、受信することと、ＵＥにより、ＤＲＸサブフレームのセカンダリセットにしたがってＵＥの１つまたは複数の無線をチューンアウェイすることとを行うように構成される。
【図面の簡単な説明】
【００４６】
【図１】[0046]モバイル通信システムの一例を示すブロック図。
【図２】[0047]本開示の一態様に従って構成された基地局／ｅＮＢおよびＵＥの設計を示すブロック図。
【図３】[0048]マルチフロー動作のために構成されたワイヤレスネットワークを示すブロック図。
【図４Ａ】[0049]本開示の一態様に従って構成されたＵＥの詳細を示すブロック図。
【図４Ｂ】[0050]本開示の一態様に従って構成されたブースタノードを示すブロック図。
【図５】[0051]本開示の一態様を実施するために実行される例示的なブロックを示すブロック図。
【図６】[0052]本開示の一態様を実施するために実行される例示的なブロックを示すブロック図。
【図７】[0053]本開示の一態様を実施するために実行される例示的なブロックを示すブロック図。
【図８】[0054]本開示の一態様を実施するために実行される例示的なブロックを示すブロック図。
【図９】[0055]本開示の一態様を実施するために実行される例示的なブロックを示すブロック図。
【図１０】[0056]本開示の一態様を実施するために実行される例示的なブロックを示すブロック図。
【図１１】[0057]本開示の一態様を実施するために実行される例示的なブロックを示すブロック図。
【図１２】[0058]本開示の一態様を実施するために実行される例示的なブロックを示すブロック図。
【図１３】[0059]本開示の一態様を実施するために実行される例示的なブロックを示すブロック図。
【詳細な説明】
【００４７】
[0060]添付の図面に関して以下に記載する詳細な説明は、様々な構成を説明するものであり、本開示の範囲を限定するものではない。むしろ、以下の詳細な説明は、本発明の主題の完全な理解を与えるための具体的な詳細を含む。これらの具体的な詳細は、あらゆる場合において必要とされるとは限らないこと、および場合によっては、よく知られている構造および構成要素は、提示を明確にするためにブロック図の形式で示されることが、当業者には明らかであろう。
【００４８】
[0061]本明細書に記載される技法は、ＣＤＭＡ、ＴＤＭＡ、ＦＤＭＡ、ＯＦＤＭＡ、ＳＣ−ＦＤＭＡ、および他のネットワークなどの、様々なワイヤレス通信ネットワークに使用される場合がある。「ネットワーク」および「システム」という用語は、しばしば互換的に使用される。ＣＤＭＡネットワークは、ユニバーサル地上波無線アクセス（ＵＴＲＡ）、米国電気通信工業会（ＴＩＡ）のＣＤＭＡ２０００（登録商標）などの無線技術を実装することができる。ＵＴＲＡ技術は、広帯域ＣＤＭＡ（ＷＣＤＭＡ（登録商標））と、ＣＤＭＡの他の変形態とを含む。ＣＤＭＡ２０００（登録商標）技術は、米国電子工業会（ＥＩＡ）およびＴＩＡからのＩＳ−２０００、ＩＳ−９５、およびＩＳ−８５６の規格を含む。ＴＤＭＡネットワークは、モバイル通信用グローバルシステム（ＧＳＭ（登録商標））などの無線技術を実装することができる。ＯＦＤＭＡネットワークは、発展型ＵＴＲＡ（Ｅ−ＵＴＲＡ）、ウルトラモバイルブロードバンド（ＵＭＢ）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、フラッシュＯＦＤＭＡなどの無線技術を実装することができる。ＵＴＲＡ技術およびＥ−ＵＴＲＡ技術は、ユニバーサルモバイルテレコミュニケーションシステム（ＵＭＴＳ）の一部である。３ＧＰＰのロングタームエボリューション（ＬＴＥ）およびＬＴＥアドバンスト（ＬＴＥ−Ａ）は、Ｅ−ＵＴＲＡを使用するＵＭＴＳのより新しいリリースである。ＵＴＲＡ、Ｅ−ＵＴＲＡ、ＵＭＴＳ、ＬＴＥ、ＬＴＥ−Ａ、およびＧＳＭは、「第３世代パートナーシッププロジェクト」（３ＧＰＰ）と呼ばれる団体からの文書に記載されている。ＣＤＭＡ２０００（登録商標）およびＵＭＢは、「第３世代パートナーシッププロジェクト２」（３ＧＰＰ２）と呼ばれる団体からの文書に記載されている。本明細書に記載される技法は、上述されたワイヤレスネットワークおよび無線アクセス技術、ならびに他のワイヤレスネットワークおよび無線アクセス技術のために使用される場合がある。明確にするために、本技法のいくつかの態様は、ＬＴＥまたはＬＴＥ−Ａ（代替として、一緒に「ＬＴＥ／−Ａ」と呼ばれる）について下記に記載され、以下の説明の大部分ではそのようなＬＴＥ／−Ａ用語を使用する。
【００４９】
[0062]図１は、ＬＴＥ−Ａネットワークであり得る、通信用のワイヤレスネットワーク１００を示す。ワイヤレスネットワーク１００は、いくつかの発展型ノードＢ（ｅＮＢ）１１０と他のネットワークエンティティとを含む。ｅＮＢは、ＵＥと通信する局であり得るし、基地局、ノードＢ、アクセスポイントなどと呼ばれる場合もある。各ｅＮＢ１１０は、特定の地理的エリアに通信カバレージを提供することができる。３ＧＰＰでは、「セル」という用語は、この用語が使用されるコンテキストに応じて、ｅＮＢのこの特定の地理的カバレージエリアおよび／またはこのカバレージエリアをサービスするｅＮＢサブシステムを指すことができる。
【００５０】
[0063]ｅＮＢは、マクロセル、ピコセル、フェムトセル、および／または他のタイプのセルに通信カバレージを提供することができる。マクロセルは、一般に、比較的大きい地理的エリア（たとえば、半径数キロメートル）をカバーし、サービスに加入しているＵＥによるネットワークプロバイダとの無制限アクセスを可能にすることができる。ピコセルは、一般に、比較的小さい地理的エリアをカバーするはずであり、ネットワークプロバイダのサービスに加入しているＵＥによる無制限アクセスを可能にすることができる。また、フェムトセルは、一般に、比較的小さい地理的エリア（たとえば、自宅）をカバーするはずであり、無制限アクセスに加えて、フェムトセルとの関連を有するＵＥ（たとえば、限定加入者グループ（ＣＳＧ）内のＵＥ、自宅内のユーザ用のＵＥなど）による制限付きアクセスを可能にすることができる。マクロセル用のｅＮＢは、マクロｅＮＢと呼ばれる場合がある。ピコセル用のｅＮＢは、ピコｅＮＢと呼ばれる場合がある。また、フェムトセル用のｅＮＢは、フェムトｅＮＢまたはホームｅＮＢと呼ばれる場合がある。図１に示された例では、ｅＮＢ１１０ａ、１１０ｂ、および１１０ｃは、それぞれマクロセル１０２ａ、１０２ｂ、および１０２ｃ用のマクロｅＮＢである。ｅＮＢ１１０ｘは、ピコセル１０２ｘ用のピコｅＮＢである。また、ｅＮＢ１１０ｙおよび１１０ｚは、それぞれフェムトセル１０２ｙおよび１０２ｚ用のフェムトｅＮＢである。ｅＮＢは、１つまたは複数の（たとえば、２つ、３つ、４つなどの）セルをサポートすることができる。
【００５１】
[0064]ワイヤレスネットワーク１００はまた中継局を含む。中継局は、上流局（たとえば、ｅＮＢ、ＵＥなど）からデータおよび／または他の情報の送信を受信し、そのデータおよび／または他の情報の送信を下流局（たとえば、別のＵＥ、別のｅＮＢなど）に送る局である。中継局はまた、他のＵＥ向けの送信を中継するＵＥであり得る。図１に示された例では、中継局１１０ｒはｅＮＢ１１０ａおよびＵＥ１２０ｒと通信することができ、ここで、中継局１１０ｒは、２つのネットワーク要素（ｅＮＢ１１０ａおよびＵＥ１２０ｒ）間の通信を容易にするために、それらの間のリレーとして働く。中継局は、リレーｅＮＢ、リレーなどと呼ばれる場合もある。
【００５２】
[0065]ワイヤレスネットワーク１００は、同期動作または非同期動作をサポートすることができる。同期動作の場合、ｅＮＢは同様のフレームタイミングを有する場合があり、異なるｅＮＢからの送信は時間的にほぼ整合される場合がある。非同期動作の場合、ｅＮＢは異なるフレームタイミングを有する場合があり、異なるｅＮＢからの送信は時間的に整合されない場合がある。
【００５３】
[0066]ＵＥ１２０はワイヤレスネットワーク１００全体にわたって分散され、各ＵＥは固定またはモバイルであり得る。ＵＥは、端末、移動局、加入者ユニット、局などと呼ばれる場合もある。ＵＥは、携帯電話、携帯情報端末（ＰＤＡ）、ワイヤレスモデム、ワイヤレス通信デバイス、ハンドヘルドデバイス、タブレットコンピュータ、ラップトップコンピュータ、コードレス電話、ワイヤレスローカルループ（ＷＬＬ）局などであり得る。ＵＥは、マクロｅＮＢ、ピコｅＮＢ、フェムトｅＮＢ、リレーなどと通信することが可能であり得る。図１では、両矢印付きの実線は、ダウンリンクおよび／またはアップリンク上で、ＵＥと、そのＵＥをサービスするように指定されたｅＮＢであるサービングｅＮＢとの間の所望の送信を示す。両矢印付きの破線は、ＵＥとｅＮＢとの間の干渉送信を示す。
【００５４】
[0067]ＬＴＥ／−Ａは、ダウンリンク上では直交周波数分割多重（ＯＦＤＭ）を利用し、アップリンク上ではシングルキャリア周波数分割多重（ＳＣ−ＦＤＭ）を利用する。ＯＦＤＭおよびＳＣ−ＦＤＭは、システム帯域幅を、通常トーン、ビンなどとも呼ばれる複数（Ｋ個）の直交サブキャリアに区分化する。各サブキャリアはデータで変調される場合がある。一般に、変調シンボルは、ＯＦＤＭでは周波数領域で、ＳＣ−ＦＤＭでは時間領域で送られる。隣接するサブキャリア間の間隔は固定であり得るし、サブキャリアの総数（Ｋ）はシステム帯域幅に依存する場合がある。たとえば、Ｋは、１．４、３、５、１０、１５、または２０メガヘルツ（ＭＨｚ）の対応するシステム帯域幅に対して、それぞれ７２、１８０、３００、６００、９００、および１２００に等しい場合がある。システム帯域幅はまた、サブバンドに区分化される場合がある。たとえば、サブバンドは１．０８ＭＨｚをカバーすることができ、１．４、３、５、１０、１５、または２０ＭＨｚの対応するシステム帯域幅に対して、それぞれ１つ、２つ、４つ、８つ、または１６個のサブバンドがあり得る。
【００５５】
[0068]ワイヤレスネットワーク１００は、単位面積当たりのシステムのスペクトル効率を改善するために、ｅＮＢ１１０の多様なセット（すなわち、マクロｅＮＢ、ピコｅＮＢ、フェムトｅＮＢ、およびリレー）を使用する。ワイヤレスネットワーク１００は、そのスペクトルカバレージのためにそのような異なるｅＮＢを使用するので、それは異種ネットワークと呼ばれる場合もある。マクロｅＮＢ１１０ａ〜ｃは、通常、ワイヤレスネットワーク１００のプロバイダによって慎重に計画され、配置される。マクロｅＮＢ１１０ａ〜ｃは、一般に、高電力レベル（たとえば、５Ｗ〜４０Ｗ）で送信する。一般に、かなり低い電力レベル（たとえば、１００ｍＷ〜２Ｗ）で送信するピコｅＮＢ１１０ｘおよび中継局１１０ｒは、マクロｅＮＢ１１０ａ〜ｃによって与えられたカバレージエリア内のカバレージホールを除去し、ホットスポットにおける容量を改善するために比較的無計画に展開される場合がある。それにもかかわらず、通常、ワイヤレスネットワーク１００とは無関係に展開されるフェムトｅＮＢ１１０ｙ〜ｚは、それらの管理者によって認可された場合、ワイヤレスネットワーク１００への潜在的なアクセスポイントとして、または少なくとも、リソース協調および干渉管理の協調を行うためにワイヤレスネットワーク１００の他のｅＮＢ１１０と通信することができる、アクティブでアウェアなｅＮＢとしてのいずれかで、ワイヤレスネットワーク１００のカバレージエリアに組み込まれる場合がある。フェムトｅＮＢ１１０ｙ〜ｚも、通常、マクロｅＮＢ１１０ａ〜ｃよりもかなり低い電力レベル（たとえば、１００ｍＷ〜２Ｗ）で送信する。
【００５６】
[0069]ワイヤレスネットワーク１００などの異種ネットワークの動作中、各ＵＥは、通常、より良い信号品質をもつｅＮＢ１１０によってサービスされ、他のｅＮＢ１１０から受信された不要な信号は干渉として扱われる。そのような動作主体は、著しく準最適なパフォーマンスをもたらすことができるが、ｅＮＢ１１０の間のインテリジェントなリソース協調と、より良いサーバ選択戦略と、効率的な干渉管理のためのより高度な技法とを使用することによって、ワイヤレスネットワーク１００においてネットワークパフォーマンス内の利得が実現される。
【００５７】
[0070]ピコｅＮＢ１１０ｘなどのピコｅＮＢは、マクロｅＮＢ１１０ａ〜ｃなどのマクロｅＮＢと比べて、かなり低い送信電力によって特徴付けられる。ピコｅＮＢはまた、アドホックな方式でワイヤレスネットワーク１００などのネットワークの周りに配置される。この無計画展開のせいで、ワイヤレスネットワーク１００などのピコｅＮＢ配置を有するワイヤレスネットワークは、カバレージエリアまたはセルのエッジ上のＵＥ（「セルエッジ」ＵＥ）に対する制御チャネル送信のためのより困難なＲＦ環境に寄与することができる、低信号対干渉状態をもつ大きいエリアを有することが予想され得る。その上、マクロｅＮＢ１１０ａ〜ｃの送信電力レベルとピコｅＮＢ１１０ｘの送信電力レベルとの間の潜在的に大きい格差（たとえば、約２０ｄＢ）は、混合展開において、ピコｅＮＢ１１０ｘのダウンリンクカバレージエリアがマクロｅＮＢ１１０ａ〜ｃのそれよりもはるかに小さいことを暗示する。
【００５８】
[0071]しかしながら、アップリンクの場合、アップリンク信号の信号強度はＵＥによって左右され、したがって、いずれのタイプのｅＮＢ１１０によって受信されるときでも同様である。ｅＮＢ１１０用のアップリンクカバレージエリアがほぼ同じまたは同様であれば、チャネル利得に基づいてアップリンクハンドオフ境界が決定されることになる。これは、ダウンリンクハンドオーバ境界とアップリンクハンドオーバ境界との間の不一致をもたらす可能性がある。追加のネットワーク適応がなければ、不一致により、ワイヤレスネットワーク１００内のサーバ選択またはｅＮＢへのＵＥの関連付けは、ダウンリンクハンドオーバ境界とアップリンクハンドオーバ境界とがより厳密に一致するマクロｅＮＢ専用の同種ネットワークにおけるよりも困難になるであろう。
【００５９】
[0072]サーバ選択が主にダウンリンク受信信号強度に基づく場合、ワイヤレスネットワーク１００などの異種ネットワークの混合ｅＮＢ展開の有用性は大幅に減少されよう。これは、マクロｅＮＢ１１０ａ〜ｃのより高いダウンリンク受信信号強度が、利用可能なＵＥのすべてを引きつけ、ピコｅＮＢ１１０ｘはそのはるかに弱いダウンリンク送信電力のためにいかなるＵＥもサービスしない場合があるので、マクロｅＮＢ１１０ａ〜ｃなどのより高電力のマクロｅＮＢのより大きいカバレージエリアが、ピコｅＮＢ１１０ｘなどのピコｅＮＢを用いてセルカバレージを分割することの利点を限定するためである。その上、マクロｅＮＢ１１０ａ〜ｃは、それらのＵＥを効率的にサービスするのに十分なリソースを有していない可能性がある。したがって、ワイヤレスネットワーク１００は、ピコｅＮＢ１１０ｘのカバレージエリアを拡張することによって、マクロｅＮＢ１１０ａ〜ｃとピコｅＮＢ１１０ｘとの間で負荷をアクティブに分散させるように試みる。この概念はセル範囲拡張（ＣＲＥ）と呼ばれる。
【００６０】
[0073]ワイヤレスネットワーク１００は、サーバ選択が決定される方式を変更することによってＣＲＥを実現する。サーバ選択がダウンリンク受信信号強度に基づく代わりに、選択はダウンリンク信号の品質に一層基づく。１つのそのような品質ベースの決定では、サーバ選択は、ＵＥに最小の経路損失を与えるｅＮＢを特定することに基づく場合がある。加えて、ワイヤレスネットワーク１００は、マクロｅＮＢ１１０ａ〜ｃとピコｅＮＢ１１０ｘとの間にリソースの固定された区分化を与える。しかしながら、このアクティブな負荷の平衡を伴う場合でも、ピコｅＮＢ１１０ｘなどのピコｅＮＢによってサービスされるＵＥのために、マクロｅＮＢ１１０ａ〜ｃからのダウンリンク干渉は緩和されるべきである。これは、ＵＥにおける干渉消去、ｅＮＢ１１０間のリソース協調などを含む様々な方法によって達成され得る。
【００６１】
[0074]ワイヤレスネットワーク１００などのセル範囲拡張を伴う異種ネットワークでは、ＵＥが、マクロｅＮＢ１１０ａ〜ｃなどのより高電力のｅＮＢから送信されたより強いダウンリンク信号の存在下で、ピコｅＮＢ１１０ｘなどのより低電力のｅＮＢからサービスを取得するために、ピコｅＮＢ１１０ｘは、マクロｅＮＢ１１０ａ〜ｃのうちの支配的な干渉マクロｅＮＢとの制御チャネルおよびデータチャネルの干渉協調に関与する。干渉を管理するために、干渉協調のための様々な異なる技法が採用される場合がある。たとえば、同一チャネル展開中のセルからの干渉を低減するために、セル間干渉協調（ＩＣＩＣ）が使用される場合がある。１つのＩＣＩＣメカニズムは適応リソースの区分化である。適応リソースの区分化は、いくつかのｅＮＢにサブフレームを割り当てる。第１のｅＮＢに割り当てられたサブフレームでは、近隣ｅＮＢは送信しない。したがって、第１のｅＮＢによってサービスされるＵＥが受ける干渉が低減される。サブフレーム割当ては、アップリンクとダウンリンクの両方のチャネル上で実行される場合がある。
【００６２】
[0075]たとえば、サブフレームは、保護サブフレーム（Ｕサブフレーム）、禁止サブフレーム（Ｎサブフレーム）、および共通サブフレーム（Ｃサブフレーム）という３つのクラスのサブフレーム間で割り振られる場合がある。保護サブフレームは、第１のｅＮＢによって排他的に使用するために第１のｅＮＢに割り当てられる。保護サブフレームは、隣接ｅＮＢからの干渉がないことに基づいて、「クリーン」サブフレームと呼ばれる場合もある。禁止サブフレームは、近隣ｅＮＢに割り当てられたサブフレームであり、第１のｅＮＢは、禁止サブフレーム中でデータを送信することを禁止される。たとえば、第１のｅＮＢの禁止サブフレームは、第２の干渉ｅＮＢの保護サブフレームに対応する場合がある。したがって、第１のｅＮＢは、第１のｅＮＢの保護サブフレーム中でデータを送信する唯一のｅＮＢである。共通サブフレームは、マルチプルなｅＮＢによるデータ送信に使用される場合がある。共通サブフレームは、他のｅＮＢからの干渉の可能性があるため、「非クリーン」サブフレームと呼ばれる場合もある。
【００６３】
[0076]期間ごとに少なくとも１つの保護サブフレームが静的に割り当てられる。場合によっては、ただ１つの保護サブフレームが静的に割り当てられる。たとえば、期間が８ミリ秒である場合、８ミリ秒ごとの間に１つの保護サブフレームがｅＮＢに静的に割り当てられる場合がある。他のサブフレームは動的に割り振られる場合がある。
【００６４】
[0077]適応リソース区分化情報（ＡＲＰＩ）により、非静的に割り当てられたサブフレームが動的に割り振られることが可能になる。保護サブフレーム、禁止サブフレーム、または共通サブフレームのうちのいずれも、動的に割り振られる場合がある（それぞれ、ＡＵサブフレーム、ＡＮサブフレーム、ＡＣサブフレーム）。動的割当ては、たとえば、１００ミリ秒またはそれ未満ごとなどに、急速に変化する場合がある。
【００６５】
[0078]異種ネットワークは、様々な電力クラスのｅＮＢを有する場合がある。たとえば、３つの電力クラスが、電力クラスの高い順に、マクロｅＮＢ、ピコｅＮＢ、およびフェムトｅＮＢとして定義される場合がある。マクロｅＮＢ、ピコｅＮＢ、およびフェムトｅＮＢが同一チャネル展開内にあるとき、マクロｅＮＢ（アグレッサｅＮＢ）の電力スペクトル密度（ＰＳＤ）は、ピコｅＮＢおよびフェムトｅＮＢ（ビクティムｅＮＢ）のＰＳＤよりも大きくなり、ピコｅＮＢおよびフェムトｅＮＢとの大量の干渉を生じる場合がある。ピコｅＮＢおよびフェムトｅＮＢとの干渉を低減または最小化するために、保護サブフレームが使用される場合がある。すなわち、アグレッサｅＮＢ上の禁止サブフレームと一致するように、ビクティムｅＮＢに保護サブフレームがスケジュールされる場合がある。
【００６６】
[0079]ワイヤレスネットワーク１００などの異種ネットワークの展開では、ＵＥは、ＵＥが１つまたは複数の干渉ｅＮＢからの高い干渉を観測する場合がある支配的な干渉シナリオにおいて動作する場合がある。支配的な干渉シナリオは、制限された関連付けにより発生する場合がある。たとえば、図１では、ＵＥ１２０ｙは、フェムトｅＮＢ１１０ｙに近い場合があり、ｅＮＢ１１０ｙに対する高い受信電力を有する場合がある。しかしながら、ＵＥ１２０ｙは、制限された関連付けによりフェムトｅＮＢ１１０ｙにアクセスすることができない場合があり、次いで、（図１に示されたように）マクロｅＮＢ１１０ｃに、またはより低い受信電力をもつフェムトｅＮＢ１１０ｚ（図１に示されず）に接続する場合がある。次いで、ＵＥ１２０ｙは、ダウンリンク上でフェムトｅＮＢ１１０ｙからの高い干渉を観測する場合があり、アップリンク上でｅＮＢ１１０ｙに高い干渉を引き起こす場合もある。協調干渉管理を使用して、ｅＮＢ１１０ｃおよびフェムトｅＮＢ１１０ｙは、リソースをネゴシエートするためにバックホール１３４を介して通信することができる。ネゴシエーションにおいて、フェムトｅＮＢ１１０ｙは、そのチャネルリソースの１つの上での送信を中止することに同意し、その結果、ＵＥ１２０ｙは、その同じチャネルを介してｅＮＢ１１０ｃと通信するときと同程度のフェムトｅＮＢ１１０ｙからの干渉を受けない。
【００６７】
[0080]そのような支配的な干渉シナリオにおいてＵＥで観測される信号電力の相違に加えて、ＵＥとマルチプルなｅＮＢとの間の距離が異なるために、同期システム内でも、ダウンリンク信号のタイミング遅延がＵＥによって観測される場合もある。同期システム内のｅＮＢは、推定上、システムにわたって同期される。しかしながら、たとえば、マクロｅＮＢから５ｋｍの距離にあるＵＥを考察すると、そのマクロｅＮＢから受信された任意のダウンリンク信号の伝搬遅延は、約１６．６７μｓ（５ｋｍ÷３×１０8（すなわち、光速「ｃ」））遅延されるであろう。マクロｅＮＢからのそのダウンリンク信号を、はるかに近いフェムトｅＮＢからのダウンリンク信号と比較すると、タイミング差は有効期間（ＴＴＬ）エラーのレベルに近づく可能性がある。
【００６８】
[0081]加えて、そのようなタイミング差は、ＵＥでの干渉消去に影響を及ぼす場合がある。干渉消去は、同じ信号のマルチプルなバージョンの組合せ間の相互相関特性をしばしば使用する。同じ信号のマルチプルなコピーを組み合わせることによって、おそらく信号の各コピー上に干渉があることになるが、それがおそらく同じロケーションにはないことになるので、干渉はより容易に識別され得る。組み合わされた信号の相互相関を使用して、実際の信号部分が特定され、干渉と区別され得るし、したがって干渉を消去することが可能になる。
【００６９】
[0082]図２は、図１の基地局／ｅＮＢのうちの１つであり得る基地局／ｅＮＢ１１０、および図１のＵＥのうちの１つであり得るＵＥ１２０の設計のブロック図を示す。制限付き関連付けシナリオの場合、ｅＮＢ１１０は図１のマクロｅＮＢ１１０ｃであり得るし、ＵＥ１２０はＵＥ１２０ｙであり得る。ｅＮＢ１１０はまた、何らかの他のタイプの基地局であり得る。ｅＮＢ１１０はアンテナ２３４ａ〜２３４ｔを装備する場合があり、ＵＥ１２０はアンテナ２５２ａ〜２５２ｒを装備する場合がある。
【００７０】
[0083]ｅＮＢ１１０において、送信プロセッサ２２０は、データソース２１２からデータを受信し、コントローラ／プロセッサ２４０から制御情報を受信することができる。制御情報は、ＰＢＣＨ、ＰＣＦＩＣＨ、ＰＨＩＣＨ、ＰＤＣＣＨなどに関するものであり得る。データは、ＰＤＳＣＨなどに関するものであり得る。送信プロセッサ２２０は、データと制御情報とを処理（たとえば、符号化およびシンボルマッピング）して、それぞれデータシンボルと制御シンボルとを取得することができる。送信プロセッサ２２０はまた、たとえば、ＰＳＳ、ＳＳＳ、およびセル固有の基準信号についての基準シンボルを生成することができる。送信（ＴＸ）多入力多出力（ＭＩＭＯ）プロセッサ２３０は、適用可能な場合、データシンボル、制御シンボル、および／または基準シンボルに対して空間処理（たとえば、プリコーディング）を行うことができ、変調器（ＭＯＤ）２３２ａ〜２３２ｔに出力シンボルストリームを供給することができる。各変調器２３２は、（たとえば、ＯＦＤＭなどのために）それぞれの出力シンボルストリームを処理して、出力サンプルストリームを取得することができる。各変調器２３２はさらに、出力サンプルストリームを処理（たとえば、アナログへの変換、増幅、フィルタ処理、およびアップコンバート）して、ダウンリンク信号を取得することができる。変調器２３２ａ〜２３２ｔからのダウンリンク信号は、それぞれアンテナ２３４ａ〜２３４ｔを介して送信され得る。
【００７１】
[0084]ＵＥ１２０において、アンテナ２５２ａ〜２５２ｒは、ｅＮＢ１１０からダウンリンク信号を受信することができ、受信信号をそれぞれ復調器（ＤＥＭＯＤ）２５４ａ〜２５４ｒに供給することができる。各復調器２５４は、それぞれの受信信号を調整（たとえば、フィルタ処理、増幅、ダウンコンバート、およびデジタル化）して、入力サンプルを取得することができる。各復調器２５４はさらに、（たとえば、ＯＦＤＭなどについての）入力サンプルを処理して、受信シンボルを取得することができる。ＭＩＭＯ検出器２５６は、すべての復調器２５４ａ〜２５４ｒから受信シンボルを取得し、適用可能な場合は受信シンボルに対してＭＩＭＯ検出を実行し、検出シンボルを供給することができる。受信プロセッサ２５８は、検出シンボルを処理（たとえば、復調、デインターリーブ、および復号）し、ＵＥ１２０のための復号されたデータをデータシンク２６０に供給し、復号された制御情報をコントローラ／プロセッサ２８０に供給することができる。
【００７２】
[0085]アップリンク上では、ＵＥ１２０において、送信プロセッサ２６４は、データソース２６２から（たとえば、ＰＵＳＣＨについての）データを受信し、処理することができ、コントローラ／プロセッサ２８０から（たとえば、ＰＵＣＣＨについての）制御情報を受信し、処理することができる。送信プロセッサ２６４は、基準信号についての基準シンボルを生成することもできる。送信プロセッサ２６４からのシンボルは、適用可能な場合はＴＸ  ＭＩＭＯプロセッサ２６６によってプリコーディングされ、さらに（たとえば、ＳＣ−ＦＤＭなどのために）変調器２５４ａ〜２５４ｒによって処理され、ｅＮＢ１１０に送信され得る。ｅＮＢ１１０において、ＵＥ１２０からのアップリンク信号は、アンテナ２３４によって受信され、復調器２３２によって処理され、適用可能な場合はＭＩＭＯ検出器２３６によって検出され、さらに受信プロセッサ２３８によって処理されて、ＵＥ１２０によって送られた復号されたデータと制御情報とを取得することができる。プロセッサ２３８は、復号されたデータをデータシンク２３９に供給し、復号された制御情報をコントローラ／プロセッサ２４０に供給することができる。
【００７３】
[0086]コントローラ／プロセッサ２４０および２８０は、それぞれｅＮＢ１１０およびＵＥ１２０での動作を指示することができる。ｅＮＢ１１０にあるコントローラ／プロセッサ２４０ならびに／または他のプロセッサおよびモジュールは、本明細書に記載された技法のための様々なプロセスを実行するか、またはその実行を指示することができる。ＵＥ１２０にあるコントローラ／プロセッサ２８０ならびに／または他のプロセッサおよびモジュールは、図５〜図１３に示される機能ブロック、および／または本明細書に記載された技法のための他のプロセスを実行するか、またはその実行を指示することができる。メモリ２４２および２８２は、それぞれｅＮＢ１１０およびＵＥ１２０のためのデータとプログラムコードとを記憶することができる。スケジューラ２４４は、ダウンリンク上および／またはアップリンク上でのデータ送信のためにＵＥをスケジュールすることができる。
【００７４】
[0087]ＬＴＥアドバンストＵＥは、各方向での送信に使用される合計１００ＭＨｚ（５つのコンポーネントキャリア）までのキャリアアグリゲーションにおいて割り振られた２０ＭＨｚまでの帯域幅のスペクトルを使用する。一般に、アップリンク上ではダウンリンクよりも少ないトラフィックが送信され、その結果、アップリンクのスペクトル割振りはダウンリンクの割振りよりも小さくなる場合がある。たとえば、アップリンクに２０ＭＨｚが割り当てられた場合、ダウンリンクには１００ＭＨｚが割り当てられる場合がある。これらの非対称ＦＤＤ割当ては、スペクトルを節約し、ブロードバンド加入者による通常非対称な帯域幅利用にぴったり合う。
【００７５】
[0088]ＬＴＥアドバンストモバイルシステムの場合、２つのタイプのキャリアアグリゲーション（ＣＡ）方法、すなわち、連続ＣＡおよび非連続ＣＡが提案されている。非連続ＣＡは、利用可能なマルチプルなコンポーネントキャリアが周波数帯域に沿って分離されたときに生じる。一方、連続ＣＡは、利用可能なマルチプルなコンポーネントキャリアが互いに隣接するときに生じる。非連続ＣＡと連続ＣＡの両方は、複数のＬＴＥ／コンポーネントキャリアをアグリゲートして、ＬＴＥアドバンストＵＥの単一ユニットをサービスする。
【００７６】
[0089]ＬＴＥアドバンストＵＥにおける非連続ＣＡでは、周波数帯域に沿ってキャリアが分離されるので、マルチプルなＲＦ受信ユニットおよびマルチプルなＦＦＴが配備される場合がある。非連続ＣＡは、大きい周波数範囲にわたるマルチプルな分離されたキャリア上でのデータ送信をサポートするので、周波数帯域が異なると、伝搬経路損失、ドップラーシフト、および他の無線チャネル特性が大いに変化する場合がある。
【００７７】
[0090]したがって、非連続ＣＡ手法の下でブロードバンドデータ送信をサポートするために、方法は、様々なコンポーネントキャリアについてのコード化、変調、および送信電力を適応的に調整するために使用される場合がある。たとえば、拡張ノードＢ（ｅノードＢ）が各コンポーネントキャリア上の送信電力を固定しているＬＴＥアドバンストシステムでは、各コンポーネントキャリアの有効カバレージまたはサポート可能な変調およびコーディングは異なる場合がある。
【００７８】
[0091]セルエッジに位置するとき、ＵＥは、隣接セルからのより大きな干渉を伴うそのサービングセルからの弱い信号に遭遇する場合がある。この組合せにより、セルエッジのＵＥについてのパフォーマンスが低下する場合がある。高度ワイヤレスネットワークは、マルチプルなセルまたはネットワークノードとの間で、ダウンリンク上で受信することとアップリンク上で送信することの両方を行うように、ネットワークノードとＵＥとを構成することによって、隣接セルの使われていない容量を利用することができる。第１のノードは、アンカーセルまたは主サービングセルと考えられ得るし、マルチフロー動作に使用される追加のセルは、ブースタセルと考えられ得る。コロケートされていない、かつ／または理想的でないバックホール通信リンクを有する第１のノードと第２のノードとの間のマルチフロー通信を行うＵＥは、マルチプルなコンポーネントキャリア（ＣＣ）を介して各々のノードと通信することができる。ＣＡの態様では、マルチプルなＣＣを使用してノードと通信しているＵＥは、プライマリコンポーネントキャリアまたはプライマリセル（ＰＣｅｌｌ）と、追加のセカンダリコンポーネントキャリアまたはセカンダリセル（ＳＣｅｌｌ）とを有する。
【００７９】
[0092]図３は、マルチフロー動作のために構成されたワイヤレスネットワーク３０を示すブロック図である。ＵＥ３００は、マクロノード３０１のカバレージエリア３０４の内部に位置する。マクロノード３０１はまた、カバレージエリア３０４とセルエッジ３０５との間に画定されたセル範囲拡張（ＣＲＥ）エリアを含む。ＵＥ３００はまた、カバレージエリア３０７とセルエッジ３０７との間に画定されたマクロノード３０２のＣＲＥエリア、およびカバレージエリア３０８とセルエッジ３０９との間に画定されたリモート無線ヘッド（ＲＲＨ）３０３のＣＲＥエリアの内部に位置する。マルチフローがない通常の動作では、ＵＥ３００は、マクロノード３０１とのアクティブな通信を維持する。ＵＥ３００で見られるパフォーマンスは、マクロノード３０２とＲＲＨ３０３の両方からの干渉によって影響される場合がある。しかしながら、マルチフロー動作が有効にされると、ＵＥ３００は、マクロノード３０２とＲＲＨ３０３のいずれかまたは両方から別々のダウンリンクデータを受信することができる。したがって、マルチフロー動作を有効にすることにより、ＵＥ３００でのパフォーマンスは、マクロノード３０２およびＲＲＨ３０３で利用可能な追加のリソースを利用することによって上がる場合さえある。
【００８０】
[0093]ｅＮＢ、ＲＲＨ、ＷＩＦＩ（登録商標）アクセスポイント、ノードＢなどの様々なタイプのネットワークノードは、マルチフロー動作で使用される場合があることに留意されたい。
【００８１】
[0094]ＣＡの使用をサポートするネットワーク上で動作するとき、ＣＡ規格は、いくつかのＰＣｅｌｌ固有の機能を提供する。たとえば、高度ＣＡ規格により、ＰＣｅｌｌ上のみのＰＵＣＣＨ内のアップリンク制御が可能になる。したがって、すべてのセルのためのアップリンク制御はＰＣｅｌｌ上で伝達される。ＣＡ動作におけるこの制限により、マルチフロー技術に対する課題がもたらされる。マルチフロー環境では、ベアラとパケットの両方のレベルの分割のための制御は、ダウンリンクマルチフロー送信に関与するすべてのノードまたはセルに伝達されるべきである。これは、マルチフロー通信に参加しているマルチプルなノードの間にファイバ接続があるパケット分割の場合、緩和される場合がある。問題は、アップリンクデータ送信で発生する場合もある。アップリンク上のマルチフローデータ送信を有効にすることは、主にＵＥの能力およびタイミングアドバンス（ＴＡ）のグループ化に関係する場合がある。図４Ａは、本開示の一態様に従って構成されたＵＥ１２０の詳細を示すブロック図である。ＵＥ１２０は、構成要素を制御し、ＵＥ１２０の特徴と機能とを実現するソフトウェア、ファームウェア、または他のロジックを実行する、コントローラ／プロセッサ２８０を含む。ＵＥ１２０は、メモリ２８２、送信機４００、受信機４０１、演算ユニット４０８、無線調整制御器４０９、電力コントローラ４１０、信号発生器４１１、およびクロック４１２などの構成要素を含む場合がある。とりわけ、マルチフロー動作４０２と、電力制御モニタ４０３と、信号測定４０４と、タイミング調整モニタ４０５と、ＳＲＳ発生器４０６と、調整制御４０７とを含む、様々なソフトウェアおよびロジックは、コントローラ／プロセッサ２８０によって実行可能なメモリ２８２に記憶される場合がある。コントローラ／プロセッサ２８０は、ＵＥ１２０の機能を動作するために、メモリ２８２にアクセスして、ロジックの上記およびその他の部分を実行する。
【００８２】
[0095]ＵＥは、一般に、マルチアップリンク対応またはシングルアップリンク対応のいずれかであり得る。マルチアップリンク対応のＵＥは、そのマルチプルな送信機を様々な送信周波数に同時に調整する能力を有する。たとえば、ＵＥ１２０の無線調整制御器４０９は、送信機４００の各々を別々の周波数に同時に調整することが可能であり得る。そうではなく、無線調整制御器４０９がそのような調整を実現することができない場合、ＵＥ１２０は、シングルアップリンク送信を送信することができるにすぎないはずである。マルチフローブースタまたはセカンダリノードを用いてアップリンク送信プロセスのためのＵＥとのマルチフロー通信を実装すると、電力制御（ＰＣ）、経路損失（ＰＬ）推定、タイミング調整グループ化（ＴＡＧ）、サウンディング基準信号（ＳＲＳ）、ランダムアクセス（ＲＡ）プロセス、電力ヘッドルーム報告（ＰＨＲ）、および不連続受信（ＤＲＸ）などの様々なチャネル、シグナリング、および手続き動作に問題が発生する可能性がある。
【００８３】
[0096]図４Ｂは、本開示の一態様に従って構成されたブースタノード４０を示すブロック図である。ブースタノード４０は、コントローラプロセッサ２４０、メモリ２４２、およびスケジューラ２４４を含む、ｅＮＢ１１０（図２）に含まれたものと同様の構成要素を含む場合がある。送信機４００および受信機４０１が、送信プロセッサ２６４、ＴＸ  ＭＩＭＯプロセッサ２６６、変調器／復調器２５４ａ〜２５４ｒ、アンテナ２５２ａ〜２５２ｒ、ＭＩＭＯ検出器２５６、および受信プロセッサ２５８（図２）などの個別の構成要素を含む場合があるのと同じように、送信機４１３および受信機４１４は、送信プロセッサ２２０、ＴＸ  ＭＩＭＯプロセッサ２３０、変調器／復調器２３２ａ〜２３２ｔ、アンテナ２３４ａ〜２３４ｔ、ＭＩＭＯ検出器２３６、および受信プロセッサ２３８（図２）などの個別の構成要素を含む場合がある。ブースタノード４０は、メモリ２４２内のマルチフロー動作４１５のコントローラ／プロセッサ２４０による実行を介して、マルチフローネットワーク内で動作することができる。マルチフロー動作４１５の実行環境により、ブースタノード４０がサービスされるＵＥのためのブースタセルとしてアップリンクデータと制御情報とを受信すること、および、コントローラ／プロセッサ２４０の制御下のスケジューラ２４４を介して、受信された制御情報およびデータに基づいて、サービスされるＵＥとの通信をスケジューリングすることが可能になる。
【００８４】
[0097]キャリアアグリゲーションでは、電力制御は、ＣＣごとにＰＵＣＣＨおよびＰＵＳＣＨについて別々に定義される。マルチプルなＰＵＣＣＨ／ＰＵＳＣＨが単一のＣＣ上で多重化された場合、各々のチャネルのための別々の電力制御が提供されるべきである。ＣＡ内の送信電力制御コマンド（ＴＰＣ）は、ＰＵＣＣＨ電力制御のためのＰＣｅｌｌのダウンリンク許可のダウンリンク制御情報（ＤＣＩ）メッセージ内で提供される。ＰＵＳＣＨ電力制御の場合、ＴＰＣは対応するセルのアップリンク許可のＤＣＩ内で提供される場合がある。サービスされるＵＥからのＰＵＣＣＨ送信がブースタノードまたはセカンダリノードの受信を対象とする場合、ＵＥは、ブースタノードまたはセカンダリノードのダウンリンク許可のＤＣＩ内でＴＰＣを受信する必要があるはずである。しかしながら、現在のネットワーク構成では、ブースタノードまたはセカンダリノードのダウンリンク許可のフィールドは、他の何らかの目的、たとえばＰＵＣＣＨフォーマット３のリソース割振りのために利用される。
【００８５】
[0098]図５は、本開示の一態様を実施するために実行される例示的なブロックを示す機能ブロック図である。ブロック５００において、マルチフロー動作に参加しているＵＥは、ブースタノードまたはセカンダリノード向けのＰＵＣＣＨ送信を準備またはコンパイルする。たとえば、コントローラ／プロセッサ２８０は、信号発生器４１１を制御して、ブースタノードまたはセカンダリノードを対象とするＰＵＣＣＨ送信を準備するはずである。これらの構成要素および行為の組合せは、ＵＥにおいて、ＵＥと通信するブースタノードまたはセカンダリノード向けのＰＵＣＣＨ送信をコンパイルするための手段を提供するはずである。
【００８６】
[0099]ブロック５０１において、ＵＥは、ブースタノードまたはセカンダリノードからのＤＣＩメッセージに含まれた、ブースタノードまたはセカンダリノードからのＴＰＣコマンドを受信するはずである。ＵＥ１２０は、受信機４０１を介してブースタノードまたはセカンダリノードからの送信を受信する。コントローラ／プロセッサ２８０の制御下で、ＵＥ１２０は、ＴＰＣコマンドを含むＤＣＩメッセージを有するダウンリンク許可として信号を復号する。本開示の様々な態様では、ブースタノードまたはセカンダリノードは、ＤＣＩの既存ビットのうちのいくつかを再利用してＴＰＣコマンドを収容するように、ＲＲＣ構成などを介して構成される場合がある。たとえば、既存の規格の下で、ブースタノードまたはセカンダリノードがＴＰＣコマンドを提供するように構成されていないとき、またはＵＥがそのブースタノードまたはセカンダリノード上でＰＵＣＣＨを受信するように構成されていないとき、ＤＣＩビットは、通常、ＴＰＣコマンド以外の情報を含むように標準化される。それに応じて、マルチフロー動作が、そのようなブースタノードまたはセカンダリノードにＴＰＣコマンドを提供させるとき、またはＤＣＩの標準構成では提供されなかったブースタノードまたはセカンダリノード上のＰＵＣＣＨをＵＥに受信させるとき、本開示の様々な態様により、新しいブースタノードまたはセカンダリノードのＴＰＣコマンドの提供、またはブースタノードまたはセカンダリノードにＰＵＣＣＨを送信するＵＥに適応するように、他の目的に割り当てられた既存のビットを再利用することが可能になる。
【００８７】
[00100]本開示のさらなる態様では、ＤＣＩメッセージの規定されたサイズは、ブースタノードまたはセカンダリノードからのそのようなＴＰＣコマンドを収容するように、規格内で増大される場合がある。これらの構成要素および行為の組合せは、ブースタノードまたはセカンダリノードからの送信電力制御コマンドを受信するための手段を提供することができ、送信電力制御はダウンリンク制御情報メッセージ内で受信される。
【００８８】
[00101]ブロック５０２において、ＵＥは、受信されたＴＰＣに従ってブースタノードまたはセカンダリノードにＰＵＣＣＨを送信する。ＴＰＣを使用して、コントローラ／プロセッサ２８０は、メモリ２８２内で電力制御モニタ４０３を実行する。電力制御モニタ４０３の実行環境は、ブースタノードまたはセカンダリノードから受信されたＴＰＣコマンドを使用して、コントローラ／プロセッサ２８０の制御下の電力コントローラ４１０を介して、ＰＵＣＣＨ送信の送信電力を調整する。これらの構成要素および行為の組合せは、送信電力制御コマンドに従ってブースタノードまたはセカンダリノードにＰＵＣＣＨを送信するための手段を提供することができる。
【００８９】
[00102]各ＵＥは、データまたは制御情報を送信する際に使用され得る限られた量の電力しか有しておらず、マルチフローアップリンク動作では、その有限の電力は特定の送信のためにスケール変更または優先順位付けされる必要があり得る。既存のＣＡの原理が利用される場合があるが、さらなる優先順位付けおよびスケール変更のメカニズムが、アップリンクマルチフロー動作に導入される場合がある。図６は、本開示の一態様を実施するために実行される例示的なブロックを示す機能ブロック図である。ブロック６００において、ＵＥは、マルチフロー動作のためのいくつかのＰＵＣＣＨ送信とＰＵＳＣＨ送信とをスケジュールする。メモリ２８２内でマルチフロー動作４０２を実行して、コントローラ／プロセッサ２８０は、マルチフロー動作に参加しているノードを対象とするマルチプルなＰＵＣＣＨ送信とＰＵＳＣＨ送信とを生成するように動作する。これらの構成要素および行為の組合せは、ＵＥにおいて、マルチフローアップリンク送信のために複数のＰＵＣＣＨ送信と１つまたは複数のＰＵＳＣＨ送信とをスケジュールするための手段を提供することができる。
【００９０】
[00103]ブロック６０１において、コントローラ／プロセッサ２８０による電力制御モニタ４０３の動作を介して、ＵＥ１２０は、その最大利用可能電力が、スケジュールされているＰＵＣＣＨ送信およびＰＵＳＣＨ送信のすべてを送信するのに十分ではない可能性があると決定する。これらの構成要素および行為の組合せは、ＵＥにおいて、ＵＥが電力制限されていると決定するための手段を提供することができる。
【００９１】
[00104]ブロック６０２および６０３において、ＵＥは、マルチフロー動作用にスケジュールされたマルチプルなＰＵＣＣＨ送信およびＰＵＳＣＨ送信にわたる電力割振りに優先順位を付ける。利用可能なＵＥの電力に優先順位を付けるか、または利用可能なＵＥの電力を割り振るために、様々な数の優先順位付け方式が、ＵＥによって採用される場合がある。たとえば、マルチプルなＰＵＣＣＨの優先順位付けは、アンカーノードを対象とするＰＵＣＣＨに最も高い優先順位を与える場合があるか、または代替として、ＵＥは、均一なスケール変更または重み付け（たとえば、アンカーノードのＰＵＣＣＨにより多く重み付けすること）されたスケール変更のいずれかを使用して、ＰＵＣＣＨにわたってスケール変更する場合がある。同様に、マルチプルなＰＵＳＣＨの優先順位付けは、アップリンク制御情報を搬送しているＰＵＳＣＨとデータのみを搬送しているＰＵＳＣＨとの間を区別する場合があり、その中で、アップリンク制御情報を搬送するＰＵＳＣＨは、単なるデータのＰＵＳＣＨ送信よりも高い優先順位を受ける場合がある。たとえば、アップリンク制御情報を搬送するＰＵＳＣＨまたはデータのみを搬送するＰＵＳＣＨのいずれの場合も、ＵＥは、同じく、アンカーノードに最も高い優先順位を与え、ＰＵＳＣＨにわたって均一に、または重みを付けてスケール変更する場合がある。マルチフロー動作４０２と電力制御モニタ４０３の両方を実行するコントローラ／プロセッサ２８０は、その中でマルチフロー動作４０２内の優先順位付け方式が電力制御モニタ４０３とともに働いて、電力コントローラ４１０を制御して、マルチフロー用にスケジュールされた様々なＰＵＣＣＨ送信およびＰＵＳＣＨ送信にわたって電力をそれに応じて調整する動作環境を作成する。コントローラ／プロセッサ２８０の制御下で、電力コントローラ４１０は、送信機４００に適切な電力を印加し、信号発生器４１１は送信のためにＰＵＣＣＨ信号とＰＵＳＣＨ信号とを準備し、かつ無線調整制御器４０９は、すべてコントローラ／プロセッサ２８０の制御下で、ＰＵＣＣＨおよびＰＵＳＣＨの送信のために適切な周波数に送信機４００を調整する。これらの構成要素および行為の組合せは、複数のＰＵＣＣＨ送信にわたるＵＥの電力割振りに優先順位を付けるための手段と、１つまたは複数のＰＵＳＣＨ送信にわたるＵＥの電力割振りに優先順位を付けるための手段とを提供することができる。
【００９２】
[00105]ＣＡでは、セルの経路損失推定は、サービングセルがどのタイミング調整グループ（ＴＡＧ）に属するかに応じて、所与のセルまたはＰＣｅｌｌのいずれかに対応するダウンリンクＣＣに基づいて推定される場合がある。たとえば、ＵＥ１２０では、コントローラ／プロセッサ２８０は、メモリ２８２内で信号測定器４０４の機能を実行して、受信機４０１を介して受信された信号からの経路損失推定の測定と特定とを可能にする。ＰＵＣＣＨ／ＰＵＳＣＨが対応するノードの対応する（別々の）キャリア上で送信される場合、同じメカニズムがマルチフローに使用され得る。そのようなケースは、マルチアップリンク対応のＵＥを使用してのみ実装される場合がある。ＰＵＣＣＨ／ＰＵＳＣＨがシングルアップリンクＣＣ（シングルキャリア上で構成されたマルチプルなセル）上で多重化される場合、経路損失推定のための基準セルは異なる場合がある。同じＣＣ上で送信されるが、アップリンク信号は異なるノードに到達する必要がある。概念的に、現在の仕様は、（同じキャリア上で送信されるが）別々のセルにリンクされるはずのチャネルとして適用可能である。
【００９３】
[00106]マルチフロー動作は、同じ場所、さらには同じセルエリア内にいない基地局またはノードとＵＥを接続することができるので、ＵＥが通信している様々なセルが同じタイミング調整（ＴＡ）を有していない場合があり、したがって同じＴＡグループ（ＴＡＧ）に属していない場合があることが考えられる。シングルアップリンクＣＣ対応のＵＥのための様々なＴＡＧ内のセルとのマルチフローは、実現可能ではなく、少なくとも妥当な効率をもたない場合がある。パケットレベルの分割を伴うファイバ接続されたノードまたは連結されたノードの場合、例外が存在する場合もある。しかしながら、ほとんどのシナリオでは、様々なＴＡＧに属しているセルとのマルチフロー動作は、マルチアップリンク対応のＵＥのために構成される。
【００９４】
[00107]図７は、本開示の一態様を実施するために実行される例示的なブロックを示す機能ブロック図である。ブロック７００において、ＵＥは、ＵＥのマルチプルアップリンク能力を報告する。たとえば、コントローラ／プロセッサ２８０は、無線調整制御器４０９とともに動作し、無線調整制御器４０９が同時アップリンク送信のために様々な周波数に送信機４００を調整することが可能かどうかを知る。ＵＥ１２０は、コントローラ／プロセッサ２８０の制御下で信号発生器４１１によって生成され、送信機４００によって送信された信号を送ることによって、そのようなマルチプルアップリンク能力を報告するはずである。これらの構成要素および行為の組合せは、ＵＥのマルチプルアップリンク能力を報告するための手段を提供することができる。
【００９５】
[00108]ブロック７０１において、ＵＥは、１つまたは複数のセルが属するＴＡＧにかかわらず、１つまたは複数のセルについてのマルチフローアップリンク送信をＵＥが行うための構成を受信する。たとえば、ＵＥ１２０は、コントローラ／プロセッサ２８０の制御下で、メモリ２８２内でタイミング調整モニタ４０５を実行することができる。タイミング調整モニタ４０５は、各々のセルについてＴＡＧを監視する。ＵＥ１２０は、受信機４０１を介して、様々なＴＡＧを有するセルとのＵＥ１２０のためのマルチフロー動作を可能にする構成情報を有する制御シグナリングを受信する。これらの構成要素および行為の組合せは、１つまたは複数のセルが属するＴＡＧにかかわらず、１つまたは複数のＣＡセルについてのマルチフローアップリンク送信をＵＥが行うための構成を受信するための手段を提供することができる。
【００９６】
[00109]図８は、本開示の一態様を実施するために実行される例示的なブロックを示す機能ブロック図である。ブロック８００において、ＵＥは、ＵＥのシングルアップリンク能力を報告する。たとえば、コントローラ／プロセッサ２８０は、無線調整制御器４０９とともに動作し、無線調整制御器４０９が同時アップリンク送信のために様々な周波数に送信機４００を調整することが可能かどうかを知る。ＵＥ１２０は、コントローラ／プロセッサ２８０の制御下で信号発生器４１１によって生成され、送信機４００によって送信された信号を送ることによって、そのようなシングルアップリンク能力を報告するはずである。これらの構成要素および行為の組合せは、ＵＥのシングルアップリンク能力を報告するための手段を提供することができる。
【００９７】
[00110]ブロック８０１において、ＵＥは、同じＴＡＧに属する１つまたは複数のセルについてのマルチフローアップリンク送信をＵＥが行うための構成を受信する。たとえば、ＵＥ１２０は、コントローラ／プロセッサ２８０の制御下で、メモリ２８２内でタイミング調整モニタ４０５を実行することができる。タイミング調整モニタ４０５は、各々のセルについてＴＡＧを監視する。ＵＥ１２０は、受信機４０１を介して、同じＴＡＧのセルとのＵＥ１２０のためのマルチフロー動作を可能にする構成情報を有する制御シグナリングを受信する。これらの構成要素および行為の組合せは、同じＴＡＧに属する１つまたは複数のＣＡセルについてのマルチフローアップリンク送信をＵＥが行うための構成を受信するための手段を提供することができる。
【００９８】
[00111]ＣＡ内のサウンディング基準信号（ＳＲＳ）は、サービングセルごとに構成される。ＵＥは、各サービングセル上のトリガタイプ０（周期的）およびトリガタイプ１（非周期的）のＳＲＳのためのＳＲＳパラメータで構成される場合がある。ＳＲＳパラメータは、一般に、サービングセル固有であり、より高いレイヤによって準静的に構成可能である。各キャリアの周波数が単一のノードに関連付けられるマルチアップリンク対応のＵＥの場合、標準のＣＡ原理は、マルチフロー動作に再使用され得る。しかしながら、シングルアップリンク対応のＵＥの場合、ＳＲＳがマルチプルなノードに対する送信のために構成されるとき、さらなる態様が考察されるべきである。
【００９９】
[00112]シングルアップリンク対応のＵＥの場合、考察する挙動は、スケジュールされた衝突するＳＲＳが存在するサブフレーム内にある。衝突するサブフレームでは、ＳＲＳ送信に優先順位付けが適用される場合がある。図９は、本開示の一態様を実施するために実行される例示的なブロックを示す機能ブロック図である。ブロック９００において、ＵＥは、ＳＲＳがマルチフロー動作を有するＣＡネットワーク内のマルチプルなアクセスノードのために構成されていると決定する。コントローラ／プロセッサ２８０の制御下で、マルチフロー動作４０２は、メモリ２８２内で、ＳＲＳ発生器４０６とともに実行される。マルチフロー動作４０２は、マルチフロー動作に参加しているセルを対象とするマルチプルなＳＲＳをスケジュールするためのトリガを含む。これらの構成要素および行為の組合せは、ＵＥにおいて、ＳＲＳがＣＡのために構成されたネットワークエリア内の複数のアクセスノードのために構成されていると決定するための手段を提供することができる。
【０１００】
[00113]ブロック９０１において、ＵＥは、ＵＥがシングルアップリンク能力を有していると決定する。上記のように、コントローラ／プロセッサ２８０は、無線調整制御器４０９とともに動作し、無線調整制御器４０９が同時アップリンク送信のために様々な周波数に送信機４００を調整することが可能か否かを知る。これらの構成要素および行為の組合せは、ＵＥにおいて、ＵＥがシングルアップリンク能力を有していると決定するための手段を提供することができる。
【０１０１】
[00114]ブロック９０２において、ＵＥは、マルチフロー動作に参加しているセルまたはノードの各々についてのセル識別子（ＩＤ）を識別する。ＵＥ１２０は、コントローラ／プロセッサ２８０の制御下で、受信機４０１を介して受信された信号を分析する。セルＩＤは、ＵＥ１２０で受信された、参加しているノードからの送信のうちのいくつかに含まれる。したがって、ＵＥ１２０は、参加しているノードの各々の様々なセルＩＤを識別することができる。これらの構成要素および行為の組合せは、複数のアクセスノードの各々についてのセルＩＤを識別するための手段を提供することができる。
【０１０２】
[00115]ブロック９０３において、ＵＥは、ＳＲＳの衝突が検出されたとき、ＳＲＳにしたがってＳＲＳの送信に優先順位を付ける。ＳＲＳ送信に優先順位を付けるために、様々な優先順位付け方式が、ＵＥによって利用される場合がある。たとえば、優先順位は、参加しているノードの最も低いセルＩＤに与えられる場合がある。多くのシナリオでは、ＰＣｅｌｌが最も低いセルＩＤを有し、したがって、ＳＲＳ衝突の場合最も高い優先順位を与えられる。ＵＥ１２０は、コントローラ／プロセッサ２８０の制御下で、比較器、加算器、減算器などの演算ユニットを含む場合がある演算ユニット４０８を使用して、特定のサブフレーム内でそれ用にスケジュールされたＳＲＳが衝突する、参加しているノードのセルＩＤを比較する。セルＩＤの比較に基づいて、コントローラ／プロセッサ２８０は、ＳＲＳ発生器４０６の実行をトリガして、信号発生器４１１を使用してＳＲＳを生成する。コントローラ／プロセッサ２８０は、ＳＲＳ送信のために優先順位を受けている特定のノードを識別し、次いで、ＳＲＳ送信は、電力コントローラ４１０と無線調整制御器４０９とを使用して、送信機４００を介して送信される。ＵＥは、最も高い優先順位のＳＲＳを送信し、残りを破棄（drop）することができるか、または次に高い優先順位で次のＳＲＳを送信することができる。これらの構成要素および行為の組合せは、衝突が検出されたサブフレーム内のセルＩＤにしたがって、ＳＲＳの送信に優先順位を付けるための手段を提供することができる。
【０１０３】
[00116]既存のキャリアアグリゲーション規格では、ＳＣｅｌｌのランダムアクセスのためのＰＤＣＣＨ命令を使用して、ＰＣｅｌｌとＳＣｅｌｌの両方でランダムアクセスが有効にされる。マルチアップリンクＵＥの場合、ランダムアクセスリソースは、セルごとに構成される場合がある。シングルアップリンクＵＥの場合、単一のＴＡがサポートされ得る。
【０１０４】
[00117]マルチプルなセルに送信されているマルチプルな信号を用いて、マルチフロー動作を有するＣＡのために構成されたＵＥについての電力ヘッドルーム報告（ＰＨＲ）は、今やさらなる送信に割り振られた送信電力を考慮に入れるべきである。現在の規格でサポートされる２つのタイプのＰＨＲが存在する。タイプ１は、ＰＣｅｌｌとＳＣｅｌｌの両方に適用され、以下の式によって定義される。  
PH = Pcmax,c - PUSCH_tx_pwr                                    (1)
ここで、ＰＨは電力ヘッドルームに対応し、Pcmax,cはその特定のセルのためのＵＥの最大許容送信電力に対応し、PUSCH_tx_pwrはＰＵＳＣＨ送信に割り振られた送信電力に対応する。タイプ２は、現在ＰＣｅｌｌのみに適用され、ＰＵＣＣＨおよびＰＵＳＣＨは同時に送信される。タイプ２のＰＨＲは以下の式によって定義される。  
PH = Pcmax,c - PUCCH_tx_pwr - PUSCH_tx_pwr                    (2)
ここで、式（１）に関して定義された要素に加えて、PUCCH_tx_pwrはＰＵＣＣＨ送信に割り振られた送信電力に対応する。
【０１０５】
[00118]ＰＵＣＣＨがブースタノードまたはセカンダリノード上の送信のために定義されたマルチフローのコンテキストでは、タイプ２のＰＨＲは、ブースタノードまたはセカンダリノードにも適用されるべきである。それに応じて、本開示の様々な態様は、ＲＲＣメッセージなどを介して、ＣＡおよびマルチフロー動作のために構成されたＵＥと、参加しているブースタノードまたはセカンダリノードの両方が、タイプ２のＰＨＲを送信および受信する構成を提供する。図１０は、本開示の一態様を実施するために実行される例示的なブロックを示す機能ブロック図である。ブロック１０００において、ＣＡのために構成されたＵＥは、ブースタノードまたはセカンダリノードについての電力ヘッドルーム報告を準備し、ここで、電力ヘッドルーム報告は、ブースタノードまたはセカンダリノードに対するＰＵＣＣＨ送信に割り振られた第１の送信電力と、ブースタノードまたはセカンダリノードに対するＰＵＳＣＨ送信に割り振られた第２の送信電力とを引いたＵＥの最大許容送信電力を含む。コントローラ／プロセッサ２８０は、メモリ２８２内でマルチフロー動作４０２を実行してマルチフロー動作環境を作成し、マルチフロー動作環境内で、動作電力制御モニタ４０３は、ブースタノードまたはセカンダリノード上の送信のために準備されたＰＵＣＣＨおよびＰＵＳＣＨについて、タイプ２のＰＨＲを計算する。これらの構成要素および行為の組合せは、ＣＡのために構成されたＵＥにおいて、ブースタノードまたはセカンダリノードについての電力ヘッドルーム報告を準備するための手段を提供することができ、ここにおいて、電力ヘッドルーム報告は、ブースタノードまたはセカンダリノードに対するＰＵＣＣＨ送信に割り振られた第１の送信電力と、ＰＵＳＣＨ送信に割り振られた第２の送信電力とを引いたそのセルのためのＵＥの最大許容送信電力を含む。
【０１０６】
[00119]ブロック１００１において、ＵＥは、ブースタノードまたはセカンダリノードにＰＨＲを送信する。たとえば、ＵＥ１２０は、送信機４００を介して、電力制御モニタ４０３によって生成されたＰＨＲを送信することができる。これらの構成要素および行為の組合せは、ブースタノードまたはセカンダリノードに電力ヘッドルーム報告を送信するための手段を提供することができる。
【０１０７】
[00120]図１１は、本開示の一態様を実施するために実行される例示的なブロックを示す機能ブロック図である。ブロック１１００において、ブースタノード４０は、サービスされるＵＥから電力ヘッドルーム報告を受信し、ここで、電力ヘッドルーム報告は、セカンダリノードに対するＰＵＣＣＨ送信に割り振られた第１の送信電力と、セカンダリノードに対するＰＵＳＣＨ送信に割り振られた第２の送信電力とを引いたＵＥの最大許容送信電力を含む。図４Ｂを参照すると、ブースタノード４０は、受信機４１４を介してサービスされるＵＥからＰＨＲを受信する。コントローラ／プロセッサ２４０は、構成要素を制御し、ブースタノード４０の機能と特徴とを定義するソフトウェア、ファームウェア、および他のロジックを実行し、メモリ２４２に記憶されたマルチフロー動作４１５を実行し、それにより、ブースタノード４０がサービスされるＵＥからのＰＵＣＣＨ送信の受信を理解することが可能になり、ここで、ブースタノード４０はセカンダリノードまたはブースタノードとしてＵＥをサービスする。これらの構成要素および行為の組合せは、ブースタノードまたはセカンダリノードにおいて、ＣＡのために構成されたサービスされるＵＥから電力ヘッドルーム報告を受信するための手段を提供することができ、ここにおいて、電力ヘッドルーム報告は、セカンダリセルに対するＰＵＣＣＨ送信に割り振られた第１の送信電力と、ＰＵＳＣＨ送信に割り振られた第２の送信電力とを引いたＵＥの最大許容送信電力を含む。
【０１０８】
[00121]ブロック１１０１において、ブースタノードまたはセカンダリノードは、受信された電力ヘッドルーム報告に基づいて、サービスされるＵＥとの通信をスケジュールすることができる。コントローラ／プロセッサ２４０の制御下で、スケジューラ２４４は、サービスされるＵＥとの送信機４１３を介した通信をスケジュールし、ここで、スケジューリングは、電力ヘッドルーム報告を使用して、スケジューラ２４４によって実行される。これらの構成要素および行為の組合せは、セカンダリセルにおいて、電力ヘッドルーム報告に基づいて、サービスされるＵＥとの通信をスケジュールするための手段を提供することができる。
【０１０９】
[00122]単一のＣＣ上のマルチプルなＰＵＣＣＨ／ＰＵＳＣＨの場合、電力ヘッドルームの式は、さらなるチャネルを考慮に入れるように調整される場合がある。マルチプルな送信の場合、タイプ１のＰＨＲは、以下の式によって定義される。  
PH = Pcmax,c - (PUSCH_tx_pwr_1+ PUSCH_tx_pwr_2+...)            (3)
ここで、ＰＵＳＣＨ送信ごとに割り振られた送信電力が加算され、ＰＵＳＣＨ送信に割り振られた合計送信電力がPcmax,cから減算される。マルチプルな送信の場合のタイプ２のＰＨＲは、以下の式によって定義される。  
PH = Pcmax,c - (PUCCH_tx_pwr_1+ PUCCH_tx_pwr_2+...) 
- (PUSCH_tx_pwr_1+ PUSCH_tx_pwr_2+...)                      (4)
ここで、ＰＵＳＣＨ送信およびＰＵＣＣＨ送信ごとに割り振られた送信電力が加算され、ＰＵＳＣＨ送信およびＰＵＣＣＨ送信のすべてに割り振られた合計送信電力がPcmax,cから減算される。次いで、結果として生じたＰＨＲが、アンカーノードおよびブースタノードまたはセカンダリノードに送信される場合がある。
【０１１０】
[00123]図１２は、本開示の一態様を実施するために実行される例示的なブロックを示す機能ブロック図である。ブロック１２００において、ＵＥは、ブースタノードまたはセカンダリノードについての電力ヘッドルーム報告を準備し、ここで、電力ヘッドルーム報告は、ブースタノードまたはセカンダリノードに対する１つまたは複数のＰＵＳＣＨ送信に割り振られた第１の送信電力を引いたＵＥの最大許容送信電力を含む。たとえば、コントローラ／プロセッサ２８０は、メモリ２８２内でマルチフロー動作４０２を実行してマルチフロー動作環境を作成し、マルチフロー動作環境内で、動作電力制御モニタ４０３は、マルチプルなＰＵＳＣＨ送信を説明するＰＨＲを計算する。これらの構成要素および行為の組合せは、ＣＡのために構成されたＵＥにおいて、アンカーノードおよびブースタノードまたはセカンダリノードについての電力ヘッドルーム報告を準備するための手段を提供することができ、ここにおいて、電力ヘッドルーム報告は、１つまたは複数のＰＵＳＣＨ送信に割り振られた第１の送信電力を引いたその対応するセルのためのＵＥの最大許容送信電力を含む。
【０１１１】
[00124]ブロック１２０１において、ＵＥは、アンカーノードとブースタノードまたはセカンダリノードの両方にＰＨＲを送信する。たとえば、ＵＥ１２０は、送信機４００を介して、電力制御モニタ４０３によって生成されたＰＨＲを送信することができる。これらの構成要素および行為の組合せは、アンカーノードおよびブースタノードまたはセカンダリノードに電力ヘッドルーム報告を送信するための手段を提供することができる。
【０１１２】
[00125]現在の規格の下で、すべてのサービングセルに同じ不連続受信（ＤＲＸ）動作が適用される。ＰＤＣＣＨの監視のためのアクティブ時間は、すべてのダウンリンクＣＣにわたって同一である。既存の手順に対する拡張として、ＳＣｅｌｌのＤＲＸは、ＰＣｅｌｌのＤＲＸとは別であるように構成される場合がある。たとえば、ＳＣｅｌｌのＤＲＸは、ＰＣｅｌｌのＤＲＸサブフレームの拡張されたセットであるように構成される場合がある。その拡張されたセットは、実装されている本開示の態様に応じて、ＰＣｅｌｌのＤＲＸサブフレームのサブセットまたはスーパーセットであり得る。この構成により、ダウンリンクトラフィックがそれほど重くないときのエネルギーの節約が大きくなる。
【０１１３】
[00126]図１３は、本開示の一態様を実施するために実行される例示的なブロックを示す機能ブロック図である。ブロック１３００において、ＣＡおよびマルチフロー動作のために構成されたＵＥは、複数のセルについてのＤＲＸサブフレームのセットを受信し、ここで、ネットワークの１つまたは複数のセカンダリセルについてのセットは、プライマリセルのＤＲＸサブフレームのセットとは別に構成される。たとえば、ＵＥ１２０は、受信機４０１を介して、ＤＲＸサブフレームのセットを受信する。ＤＲＸサブフレームのこのセットは、ＰＣｅｌｌのＤＲＸのセットの拡張として構成されたＳＣｅｌｌのＤＲＸのセットを含む。これらの構成要素および行為の組合せは、ＣＡのために構成されたＵＥにおいて、１つまたは複数のセカンダリセルについてのＤＲＸサブフレームのセカンダリセットのための構成を受信するための手段を提供することができ、ここで、１つまたは複数のセカンダリセルについてのセカンダリセットは、プライマリセルのＤＲＸサブフレームのプライマリセットに関係する。
【０１１４】
[00127]ブロック１３０１において、ＵＥは、ＤＲＸサブフレームの受信されたセットにしたがって、その無線をチューンアウェイする。たとえば、コントローラ／プロセッサ２８０は、ＤＲＸサブフレームのセットを使用する調整制御４０７を実行して、コントローラ／プロセッサ２８０の制御下で、無線調整制御器４０９をいつアクティブ化して、ＤＲＸ動作のための現在の周波数から受信機４０１をチューンアウェイするかを決定する。これらの構成要素および行為の組合せは、ＵＥにより、ＤＲＸサブフレームのセカンダリセットにしたがって、ＵＥの１つまたは複数の無線をチューンアウェイするための手段を提供することができる。
【０１１５】
[00128]情報および信号は様々な異なる技術および技法のうちのいずれかを使用して表すことができることを、当業者なら理解されよう。たとえば、上記の説明全体にわたって参照される場合があるデータ、命令、コマンド、情報、信号、ビット、シンボル、およびチップは、電圧、電流、電磁波、磁場もしくは磁性粒子、光場もしくは光学粒子、またはそれらの任意の組合せによって表される場合がある。
【０１１６】
[00129]図５〜図１３の機能ブロックおよび機能モジュールは、プロセッサ、電子デバイス、ハードウェアデバイス、電子構成要素、論理回路、メモリ、ソフトウェアコード、ファームウェアコードなど、またはそれらの任意の組合せを備える場合がある。
【０１１７】
[00130]さらに、本明細書の開示に関して記載された様々な例示的な論理ブロック、モジュール、回路、およびアルゴリズムステップは、電子ハードウェア、コンピュータソフトウェア、または両方の組合せとして実装される場合があることを、当業者なら諒解されよう。ハードウェアとソフトウェアのこの互換性を明確に示すために、様々な例示的な構成要素、ブロック、モジュール、回路、およびステップが、全体的にそれらの機能に関して上述されている。そのような機能がハードウェアとして実装されるか、またはソフトウェアとして実装されるかは、特定の適用例および全体的なシステムに課された設計制約に依存する。当業者は、記載された機能を特定の適用例ごとに様々な方法で実装することができるが、そのような実装の決定は、本開示の範囲からの逸脱を生じるものと解釈されるべきではない。
【０１１８】
[00131]本明細書の開示に関して記載された様々な例示的な論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）もしくは他のプログラマブル論理デバイス、個別ゲートもしくはトランジスタ論理、個別ハードウェア構成要素、または本明細書に記載された機能を実行するように設計されたそれらの任意の組合せを用いて、実装または実行される場合がある。汎用プロセッサはマイクロプロセッサであり得るが、代替として、プロセッサは、任意の従来のプロセッサ、コントローラ、マイクロコントローラ、または状態機械であり得る。プロセッサはまた、コンピューティングデバイスの組合せ、たとえば、ＤＳＰとマイクロプロセッサとの組合せ、複数のマイクロプロセッサ、ＤＳＰコアと連携する１つもしくは複数のマイクロプロセッサ、または任意の他のそのような構成として実装される場合がある。
【０１１９】
[00132]本明細書の開示に関して記載された方法またはアルゴリズムのステップは、直接ハードウェアで具現化されるか、プロセッサによって実行されるソフトウェアモジュールで具現化されるか、またはその２つの組合せで具現化される場合がある。ソフトウェアモジュールは、ＲＡＭメモリ、フラッシュメモリ、ＲＯＭメモリ、ＥＰＲＯＭメモリ、ＥＥＰＲＯＭ（登録商標）メモリ、レジスタ、ハードディスク、リムーバブルディスク、ＣＤ−ＲＯＭ、または当技術分野で知られている任意の他の形態の記憶媒体に存在する場合がある。例示的な記憶媒体は、その記憶媒体からプロセッサが情報を読み取り、かつその記憶媒体にプロセッサが情報を書き込むことができるように、プロセッサに連結される。代替として、記憶媒体はプロセッサと一体化される場合がある。プロセッサおよび記憶媒体はＡＳＩＣに存在する場合がある。ＡＳＩＣはユーザ端末に存在する場合がある。代替として、プロセッサおよび記憶媒体は、ユーザ端末内の個別構成要素として存在する場合がある。
【０１２０】
[00133]１つまたは複数の例示的な設計では、記載された機能は、ハードウェア、ソフトウェア、ファームウェア、または任意のそれらの組合せに実装される場合がある。ソフトウェアに実装された場合、機能は、１つまたは複数の命令またはコードとして、コンピュータ可読媒体上に記憶されるか、またはコンピュータ可読媒体を介して送信される場合がある。コンピュータ可読媒体は、ある場所から別の場所へのコンピュータプログラムの転送を容易にする任意の媒体を含む、コンピュータ記憶媒体と通信媒体の両方を含む。記憶媒体は、汎用または専用のコンピュータによってアクセスされ得る任意の利用可能な媒体であり得る。限定ではなく例として、そのようなコンピュータ可読媒体は、ＲＡＭ、ＲＯＭ、ＥＥＰＲＯＭ、ＣＤ−ＲＯＭもしくは他の光ディスクストレージ、磁気ディスクストレージもしくは他の磁気ストレージデバイス、または命令またはデータ構造の形態の所望のプログラムコード手段を搬送または記憶するために使用され得るし、かつ汎用もしくは専用のコンピュータ、または汎用もしくは専用のプロセッサによってアクセスされ得る、任意の他の媒体を備えることができる。また、いかなる接続もコンピュータ可読媒体と適切に呼ばれる。たとえば、ソフトウェアが、同軸ケーブル、光ファイバケーブル、ツイストペア、またはデジタル加入者回線（ＤＳＬ）を使用して、ウェブサイト、サーバ、または他のリモートソースから送信される場合、同軸ケーブル、光ファイバケーブル、ツイストペア、またはは、媒体の定義に含まれる。本明細書で使用するディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）、およびブルーレイ（登録商標）ディスク（disc）を含み、ディスク（disk）は、通常、データを磁気的に再生し、ディスク（disc）は、データをレーザーで光学的に再生する。上記の組合せもコンピュータ可読媒体の範囲内に含まれるべきである。
【０１２１】
[00134]本開示の以上の説明は、いかなる当業者も本開示を作製または使用することが可能になるように提供される。本開示への様々な修正は当業者には容易に明らかとなり、本明細書で定義された一般原理は、本開示の趣旨または範囲から逸脱することなく、他の変形形態に適用される場合がある。したがって、本開示は、本明細書に記載された例および設計に限定されるものではなく、本明細書で開示された原理および新規の特徴に合致する最も広い範囲を与えられるべきである。
以下に、出願当初の特許請求の範囲に記載された発明を付記する。
［Ｃ１］
マルチアップリンク対応のユーザ機器（ＵＥ）によるワイヤレス通信の方法であって、
前記ＵＥにおいて、複数のコンポーネントキャリア（ＣＣ）を介して前記ＵＥとマルチフロー通信する複数のノード向けの複数のアップリンク制御チャネル送信を準備することと、ここで、前記複数のノードは、前記ＵＥと通信するためのプライマリセル（ＰＣｅｌｌ）を有する第１のノードと前記ＵＥと通信するためのセカンダリセル（ＳＣｅｌｌ）を有する第２のノードとを備える、ここにおいて、前記複数のアップリンク制御チャネル送信の各々は、対応するノードに関連付けられた前記複数のＣＣのうちの１つのＣＣ上の前記複数のノードのうちの前記対応するノードのために構成される、
前記ＳＣｅｌｌ上で送信電力制御コマンドを受信することと、ここにおいて、前記送信電力制御は、前記第２のノードからのダウンリンク制御情報メッセージ内で受信される、
前記送信電力制御コマンドに従って前記第２のノードに前記複数のアップリンク制御チャネル送信のうちの１つのアップリンク制御チャネル送信を送信することと
を備える、方法。
［Ｃ２］
前記送信電力制御コマンドが、ダウンリンク許可内の前記第２のノードから受信される、上記Ｃ１に記載の方法。
［Ｃ３］
前記マルチフロー通信のためのＲＲＣ構成に従って、前記ＳＣｅｌｌのための電力制御コマンドとして、前記ダウンリンク許可のビットを解釈することをさらに備える、上記Ｃ２に記載の方法。
［Ｃ４］
前記ダウンリンク許可とともに使用されるダウンリンク制御情報のフォーマットに割り振られたビットに加えて、前記ＵＥとマルチフロー通信する前記ＳＣｅｌｌのための前記送信電力制御コマンドが、前記ダウンリンク制御情報メッセージに含まれる、上記Ｃ１に記載の方法。
［Ｃ５］
ワイヤレス通信の方法であって、
ユーザ機器（ＵＥ）において、２つ以上のコロケートされていないノードに対するマルチフローアップリンク送信のために複数のアップリンク制御チャネル送信と１つまたは複数のアップリンク共有チャネル送信とを準備することと、
前記ＵＥにおいて、前記ＵＥが電力制限されていると決定することと、
前記複数のアップリンク制御信号送信にわたる電力割振りの適用が、前記１つまたは複数のアップリンク共有チャネル送信にわたる前記電力割振りの適用よりも優先される優先順位付けに従って、前記ＵＥの前記電力割振りを適用することとを
備える、方法。
［Ｃ６］
前記１つまたは複数のアップリンク共有チャネル送信のうちのアップリンク制御情報を搬送する送信にわたる前記電力割振りを、前記１つまたは複数のアップリンク共有チャネルのうちのアップリンク制御情報を搬送しない他の送信にわたる前記電力割振りを適用することよりも上の優先順位で適用することによって、前記１つまたは複数のアップリンク共有チャネル送信にわたる前記ＵＥの前記電力割振りの前記適用がさらに優先される、上記Ｃ５に記載の方法。
［Ｃ７］
前記複数のアップリンク制御信号送信、前記１つまたは複数のアップリンク共有チャネル送信、およびアップリンク制御情報を搬送する前記１つまたは複数のアップリンク共有チャネル送信にわたる前記ＵＥの前記電力割振りに前記優先順位を付けることが、前記ＵＥと通信するプライマリセルに対する送信に最も高い優先順位を割り当てる、上記Ｃ６に記載の方法。
［Ｃ８］
前記複数のアップリンク制御信号送信、前記１つまたは複数のアップリンク共有チャネル送信、およびアップリンク制御情報を搬送する前記１つまたは複数のアップリンク共有チャネル送信にわたる前記ＵＥの前記電力割振りに前記優先順位を付けることが、前記複数のアップリンク制御信号送信、前記１つまたは複数のアップリンク共有チャネル送信、およびアップリンク制御情報を搬送する前記１つまたは複数のアップリンク共有チャネル送信にわたる前記電力割振りをスケール変更する、上記Ｃ６に記載の方法。
［Ｃ９］
前記スケール変更が、
均一、または
加重
のうちの１つである、上記Ｃ８に記載の方法。
［Ｃ１０］
ワイヤレス通信の方法であって、
ユーザ機器（ＵＥ）により、前記ＵＥのマルチプルアップリンク能力を報告することと、
１つまたは複数のタイミング調整グループ（ＴＡＧ）に属する１つまたは複数のコロケートされていないノード向けのマルチフローアップリンク送信を前記ＵＥが行うための構成を受信することと、ここにおいて、前記１つまたは複数のコロケートされていないノードの各々が、前記１つまたは複数のＴＡＧのうちの別々のＴＡＧに属する、
を備える、方法。
［Ｃ１１］
ワイヤレス通信の方法であって、
ユーザ機器（ＵＥ）により、前記ＵＥとマルチフロー通信する複数のコロケートされていないノードの各々についての複数のサウンディング基準信号（ＳＲＳ）を生成することと、
前記ＵＥにおいて、前記ＵＥがシングルアップリンク能力を有すると決定することと、
前記複数のコロケートされていないノードの各々についてのセル識別子（ＩＤ）を識別することと、
前記複数のＳＲＳのうちの２つ以上のＳＲＳの衝突が検出されたサブフレームにおいて前記セルＩＤにしたがって前記複数のＳＲＳの送信に優先順位を付けることと
を備える、方法。
［Ｃ１２］
最も高い優先順位のセルＩＤを有する、前記複数のコロケートされていないノードのうちの優先されたセルについて前記複数のＳＲＳのうちの第１のＳＲＳを送信することと、
前記最も高い優先順位のセルＩＤよりも低い優先順位のセルＩＤを有する、前記複数のコロケートされていないノードのうちの残りのノードについて前記複数のＳＲＳのうちの残りのＳＲＳすべての送信を破棄することと
をさらに備える、上記Ｃ１１に記載の方法。
［Ｃ１３］
前記最も高い優先順位のセルＩＤが、前記複数のＳＲＳのうちの２つ以上のＳＲＳの衝突が検出された前記複数のコロケートされていないノードの中で最も低いセルＩＤに対応する、上記Ｃ１２に記載の方法。
［Ｃ１４］
ワイヤレス通信の方法であって、
複数のコロケートされていないノードとのマルチフロー動作のために構成されたユーザ機器（ＵＥ）において、前記複数のコロケートされていないノードのうちのセカンダリノードについての電力ヘッドルーム報告を準備することと、ここにおいて、前記電力ヘッドルーム報告は、前記セカンダリノードに対するアップリンク制御信号送信に割り振られた第１の送信電力とアップリンク共有チャネル送信に割り振られた第２の送信電力とを引いた前記セカンダリノードのための前記ＵＥの最大許容送信電力を含む、
前記セカンダリノードに前記電力ヘッドルーム報告を送信することと
を備える、方法。
［Ｃ１５］
前記セカンダリノードについての電力ヘッドルーム報告をコンパイルするために前記ＵＥを構成する無線リソース制御（ＲＲＣ）メッセージを受信すること
をさらに備える、上記Ｃ１４に記載の方法。
［Ｃ１６］
前記第１の送信電力が、シングルコンポーネントキャリア（ＣＣ）上の１つまたは複数のアップリンク制御信号送信に割り振られたアップリンク制御信号送信電力を備え、前記第２の送信電力が、前記シングルＣＣ上の１つまたは複数のアップリンク共有チャネル送信に割り振られたアップリンク共有チャネル送信電力を備える、上記Ｃ１４に記載の方法。
［Ｃ１７］
ワイヤレス通信の方法であって、
複数のコロケートされていないノードのうちのセカンダリノードにおいて、前記複数のコロケートされていないノードとのマルチフロー動作のために構成されたサービスされるユーザ機器（ＵＥ）から電力ヘッドルーム報告を受信することと、ここにおいて、前記電力ヘッドルーム報告は、前記セカンダリノードに対するアップリンク制御信号送信に割り振られた第１の送信電力とアップリンク共有チャネル送信に割り振られた第２の送信電力とを引いた前記ＵＥの最大許容送信電力を含む、
前記セカンダリノードにおいて、前記電力ヘッドルーム報告に基づいて前記サービスされるＵＥとの通信をスケジュールすることと
を備える、方法。
［Ｃ１８］
前記第１の送信電力が、シングルコンポーネントキャリア（ＣＣ）上の１つまたは複数のアップリンク制御信号送信に割り振られたアップリンク制御信号送信電力を備え、前記第２の送信電力が、前記シングルＣＣ上の１つまたは複数のアップリンク共有チャネル送信に割り振られたアップリンク共有チャネル送信電力を備える、上記Ｃ１７に記載の方法。
［Ｃ１９］
ワイヤレス通信の方法であって、
複数のコロケートされていないノードとのマルチフロー動作のために構成されたユーザ機器（ＵＥ）において、前記複数のコロケートされていないノードの１つまたは複数のセカンダリセルについての不連続受信（ＤＲＸ）サブフレームのセカンダリセットのための構成を受信することと、ここにおいて、１つまたは複数のセカンダリセルについてのＤＲＸサブフレームの前記セカンダリセットは、前記複数のコロケートされていないノードのプライマリセルのＤＲＸサブフレームのプライマリセットとは別である、
前記ＵＥにより、ＤＲＸサブフレームの前記セカンダリセットにしたがって前記ＵＥの１つまたは複数の無線をチューンアウェイすることと
を備える、方法。
［Ｃ２０］
ＤＲＸサブフレームの前記プライマリセットとは別のＤＲＸサブフレームの前記セカンダリセットが、ＤＲＸサブフレームの前記プライマリセットの拡張である、上記Ｃ１９に記載の方法。
［Ｃ２１］
ＤＲＸサブフレームの前記セカンダリセットが、
ＤＲＸサブフレームの前記プライマリセットのサブセット、または
ＤＲＸサブフレームの前記プライマリセットのスーパーセット
のうちの１つを備える、上記Ｃ２０に記載の方法。
［Ｃ２２］
ワイヤレス通信のために構成された装置であって、
ユーザ機器（ＵＥ）において、複数のコンポーネントキャリア（ＣＣ）を介して前記ＵＥとマルチフロー通信する複数のノードについての複数のアップリンク制御チャネル送信をコンパイルするための手段と、ここにおいて、前記複数のアップリンク制御チャネル送信の各々は、対応するノードに関連付けられた前記複数のＣＣのうちの１つのＣＣ上の前記複数のノードのうちの前記対応するノードのために構成される、
少なくとも１つのセカンダリセル（ＳＣｅｌｌ）から送信電力制御コマンドを受信するための手段と、ここにおいて、前記送信電力制御は、前記少なくとも１つのＳＣｅｌｌからのダウンリンク制御情報メッセージ内で受信される、
前記送信電力制御コマンドに従って前記少なくとも１つのＳＣｅｌｌに前記複数のアップリンク制御チャネル送信のうちの１つのアップリンク制御チャネル送信を送信するための手段と
を備える、装置。
［Ｃ２３］
前記送信電力制御コマンドが、前記ダウンリンク制御情報メッセージに割り振られた複数の既存ビットのサブセットを再利用する、上記Ｃ２２に記載の装置。
［Ｃ２４］
前記少なくとも１つのＳＣｅｌｌが、無線リソース制御（ＲＲＣ）構成メッセージを使用して前記送信電力制御コマンドを送信するように構成された、上記Ｃ２２に記載の装置。
［Ｃ２５］
前記ダウンリンク制御情報メッセージに割り振られた既存ビットに加えて、前記送信電力制御コマンドが前記ダウンリンク制御情報メッセージに含まれる、上記Ｃ２２に記載の装置。
［Ｃ２６］
ワイヤレス通信のために構成された装置であって、
ユーザ機器（ＵＥ）において、２つ以上のコロケートされていないノードに対するマルチフローアップリンク送信のために複数のアップリンク制御チャネル送信と１つまたは複数のアップリンク共有チャネル送信とを準備するための手段と、
前記ＵＥにおいて、前記ＵＥが電力制限されていると決定するための手段と、
前記複数のアップリンク制御信号送信にわたる電力割振りの適用が前記１つまたは複数のアップリンク共有チャネル送信にわたる前記電力割振りの適用よりも優先される優先順位付けに従って、前記ＵＥの前記電力割振りを適用するための手段とを
備える、装置。
［Ｃ２７］
前記１つまたは複数のアップリンク共有チャネル送信のうちのアップリンク制御情報を搬送する送信にわたる前記電力割振りを、前記１つまたは複数のアップリンク共有チャネルのうちのアップリンク制御情報を搬送しない他の送信にわたる前記電力割振りを適用することよりも上の優先順位で適用することによって、前記１つまたは複数のアップリンク共有チャネル送信にわたる前記ＵＥの前記電力割振りの前記適用がさらに優先される、上記Ｃ２６に記載の装置。
［Ｃ２８］
前記複数のアップリンク制御信号送信、前記１つまたは複数のアップリンク共有チャネル送信、およびアップリンク制御情報を搬送する前記１つまたは複数のアップリンク共有チャネル送信にわたる前記ＵＥの前記電力割振りに優先順位を付けるための前記手段が、前記ＵＥと通信するプライマリセルに対する送信に最も高い優先順位を割り当てる、上記Ｃ２７に記載の装置。
［Ｃ２９］
前記複数のアップリンク制御信号送信、前記１つまたは複数のアップリンク共有チャネル送信、およびアップリンク制御情報を搬送する前記１つまたは複数のアップリンク共有チャネル送信にわたる前記ＵＥの前記電力割振りに優先順位を付けるための前記手段が、前記複数のアップリンク制御信号送信、前記１つまたは複数のアップリンク共有チャネル送信、およびアップリンク制御情報を搬送する前記１つまたは複数のアップリンク共有チャネル送信にわたる前記電力割振りをスケール変更する、上記Ｃ２７に記載の装置。
［Ｃ３０］
スケール変更するための前記手段が、
均一、または
加重
のうちの１つである、上記Ｃ２９に記載の装置。
［Ｃ３１］
ワイヤレス通信のために構成された装置であって、
ユーザ機器（ＵＥ）により、前記ＵＥのマルチプルアップリンク能力を報告するための手段と、
１つまたは複数のタイミング調整グループ（ＴＡＧ）に属する１つまたは複数のコロケートされていないノード向けのマルチフローアップリンク送信を前記ＵＥが行うための構成を受信するための手段と、ここにおいて、前記１つまたは複数のコロケートされていないノードの各々が、前記１つまたは複数のＴＡＧのうちの別々のＴＡＧに属する、
を備える、装置。
［Ｃ３２］
ワイヤレス通信のために構成された装置であって、
ユーザ機器（ＵＥ）により、前記ＵＥとマルチフロー通信する複数のコロケートされていないノードの各々についての複数のサウンディング基準信号（ＳＲＳ）を生成するための手段と、
前記ＵＥにおいて、前記ＵＥがシングルアップリンク能力を有すると決定するための手段と、
前記複数のコロケートされていないノードの各々についてのセル識別子（ＩＤ）を識別するための手段と、
前記複数のＳＲＳのうちの２つ以上のＳＲＳの衝突が検出されたサブフレームにおいて前記セルＩＤにしたがって前記複数のＳＲＳの送信に優先順位を付けるための手段と
を備える、装置。
［Ｃ３３］
最も高い優先順位のセルＩＤを有する、前記複数のコロケートされていないノードのうちの優先されたセルについて前記複数のＳＲＳのうちの第１のＳＲＳを送信するための手段と、
前記最も高い優先順位のセルＩＤよりも低い優先順位のセルＩＤを有する、前記複数のコロケートされていないノードのうちの残りのノードについて前記複数のＳＲＳのうちの残りのＳＲＳすべての送信を破棄するための手段と
をさらに備える、上記Ｃ３２に記載の装置。
［Ｃ３４］
前記最も高い優先順位のセルＩＤが、前記複数のＳＲＳのうちの２つ以上のＳＲＳの衝突が検出された前記複数のコロケートされていないノードの中で最も低いセルＩＤに対応する、上記Ｃ３３に記載の装置。
［Ｃ３５］
ワイヤレス通信のために構成された装置であって、
複数のコロケートされていないノードとのマルチフロー動作のために構成されたユーザ機器（ＵＥ）において、前記複数のコロケートされていないノードのうちのセカンダリノードについての電力ヘッドルーム報告を準備するための手段と、ここにおいて、前記電力ヘッドルーム報告は、前記セカンダリノードに対するアップリンク制御信号送信に割り振られた第１の送信電力とアップリンク共有チャネル送信に割り振られた第２の送信電力とを引いた前記セカンダリノードのための前記ＵＥの最大許容送信電力を含む、
前記セカンダリノードに前記電力ヘッドルーム報告を送信するための手段と
を備える、装置。
［Ｃ３６］
前記セカンダリノードについての電力ヘッドルーム報告をコンパイルするために前記ＵＥを構成する無線リソース制御（ＲＲＣ）メッセージを受信するための手段
をさらに備える、上記Ｃ３５に記載の装置。
［Ｃ３７］
前記第１の送信電力が、シングルコンポーネントキャリア（ＣＣ）上の１つまたは複数のアップリンク制御信号送信に割り振られたアップリンク制御信号送信電力を備え、前記第２の送信電力が、前記シングルＣＣ上の１つまたは複数のアップリンク共有チャネル送信に割り振られたアップリンク共有チャネル送信電力を備える、上記Ｃ３５に記載の装置。
［Ｃ３８］
ワイヤレス通信の装置であって、
複数のコロケートされていないノードのうちのセカンダリノードにおいて、前記複数のコロケートされていないノードとのマルチフロー動作のために構成されたサービスされるユーザ機器（ＵＥ）から電力ヘッドルーム報告を受信するための手段と、ここにおいて、前記電力ヘッドルーム報告は、前記セカンダリノードに対するアップリンク制御信号送信に割り振られた第１の送信電力とアップリンク共有チャネル送信に割り振られた第２の送信電力とを引いた前記ＵＥの最大許容送信電力を含む、
前記セカンダリノードにおいて、前記電力ヘッドルーム報告に基づいて前記サービスされるＵＥとの通信をスケジュールするための手段と
を備える、装置。
［Ｃ３９］
前記第１の送信電力が、シングルコンポーネントキャリア（ＣＣ）上の１つまたは複数のアップリンク制御信号送信に割り振られたアップリンク制御信号送信電力を備え、前記第２の送信電力が、前記シングルＣＣ上の１つまたは複数のアップリンク共有チャネル送信に割り振られたアップリンク共有チャネル送信電力を備える、上記Ｃ３８に記載の装置。
［Ｃ４０］
ワイヤレス通信のために構成された装置であって、
複数のコロケートされていないノードとのマルチフロー動作のために構成されたユーザ機器（ＵＥ）において、前記複数のコロケートされていないノードの１つまたは複数のセカンダリセルについての不連続受信（ＤＲＸ）サブフレームのセカンダリセットのための構成を受信するための手段と、ここにおいて、１つまたは複数のセカンダリセルについてのＤＲＸサブフレームの前記セカンダリセットは、前記複数のコロケートされていないノードのプライマリセルのＤＲＸサブフレームのプライマリセットとは別である、
前記ＵＥにより、ＤＲＸサブフレームの前記セカンダリセットにしたがって前記ＵＥの１つまたは複数の無線をチューンアウェイするための手段と
を備える、装置。
［Ｃ４１］
ＤＲＸサブフレームの前記プライマリセットとは別のＤＲＸサブフレームの前記セカンダリセットが、ＤＲＸサブフレームの前記プライマリセットの拡張である、上記Ｃ４０に記載の装置。
［Ｃ４２］
ＤＲＸサブフレームの前記セカンダリセットが、
ＤＲＸサブフレームの前記プライマリセットのサブセット、または
ＤＲＸサブフレームの前記プライマリセットのスーパーセット
のうちの１つを備える、上記Ｃ４１に記載の装置。
［Ｃ４３］
ワイヤレスネットワーク内のワイヤレス通信のためのコンピュータプログラム製品であって、
プログラムコードを記録している非一時的コンピュータ可読媒体を備え、前記プログラムコードが、
ユーザ機器（ＵＥ）において、複数のコンポーネントキャリア（ＣＣ）を介して前記ＵＥとマルチフロー通信する複数のノードについての複数のアップリンク制御チャネル送信をコンパイルすることをコンピュータに行わせるためのプログラムコードと、ここにおいて、前記複数のアップリンク制御チャネル送信の各々は、対応するノードに関連付けられた前記複数のＣＣのうちの１つのＣＣ上の前記複数のノードのうちの前記対応するノードのために構成される、
少なくとも１つのセカンダリセル（ＳＣｅｌｌ）から送信電力制御コマンドを受信することを前記コンピュータに行わせるためのプログラムコードと、ここにおいて、前記送信電力制御は、前記少なくとも１つのＳＣｅｌｌからのダウンリンク制御情報メッセージ内で受信される、
前記送信電力制御コマンドに従って前記少なくとも１つのＳＣｅｌｌに前記複数のアップリンク制御チャネル送信のうちの１つのアップリンク制御チャネル送信を送信することを前記コンピュータに行わせるためのプログラムコードと
を含む、
コンピュータプログラム製品。
［Ｃ４４］
前記送信電力制御コマンドが、前記ダウンリンク制御情報メッセージに割り振られた複数の既存ビットのサブセットを再利用する、上記Ｃ４３に記載のコンピュータプログラム製品。
［Ｃ４５］
前記少なくとも１つのＳＣｅｌｌが、無線リソース制御（ＲＲＣ）構成メッセージを使用して前記送信電力制御コマンドを送信するように構成された、上記Ｃ４３に記載のコンピュータプログラム製品。
［Ｃ４６］
前記ダウンリンク制御情報メッセージに割り振られた既存ビットに加えて、前記送信電力制御コマンドが前記ダウンリンク制御情報メッセージに含まれる、上記Ｃ４３に記載のコンピュータプログラム製品。
［Ｃ４７］
ワイヤレスネットワーク内のワイヤレス通信のためのコンピュータプログラム製品であって、
プログラムコードを記録している非一時的コンピュータ可読媒体を備え、前記プログラムコードが、
ユーザ機器（ＵＥ）において、２つ以上のコロケートされていないノードに対するマルチフローアップリンク送信のために複数のアップリンク制御チャネル送信と１つまたは複数のアップリンク共有チャネル送信とを準備することをコンピュータに行わせるためのプログラムコードと、
前記ＵＥにおいて、前記ＵＥが電力制限されていると決定することを前記コンピュータに行わせるためのプログラムコードと、
前記複数のアップリンク制御信号送信にわたる電力割振りの適用が前記１つまたは複数のアップリンク共有チャネル送信にわたる前記電力割振りの適用よりも優先される優先順位付けに従って、前記ＵＥの前記電力割振りを適用することを前記コンピュータに行わせるためのプログラムコードと
を含む、
コンピュータプログラム製品。
［Ｃ４８］
前記１つまたは複数のアップリンク共有チャネル送信のうちのアップリンク制御情報を搬送する送信にわたる前記電力割振りを、前記１つまたは複数のアップリンク共有チャネルのうちのアップリンク制御情報を搬送しない他の送信にわたる前記電力割振りを適用することよりも上の優先順位で適用することによって、前記１つまたは複数のアップリンク共有チャネル送信にわたる前記ＵＥの前記電力割振りの前記適用がさらに優先される、上記Ｃ４７に記載のコンピュータプログラム製品。
［Ｃ４９］
前記複数のアップリンク制御信号送信、前記１つまたは複数のアップリンク共有チャネル送信、およびアップリンク制御情報を搬送する前記１つまたは複数のアップリンク共有チャネル送信にわたる前記ＵＥの前記電力割振りに前記優先順位を付けることが、前記ＵＥと通信するプライマリセルに対する送信に最も高い優先順位を割り当てる、上記Ｃ４８に記載のコンピュータプログラム製品。
［Ｃ５０］
前記複数のアップリンク制御信号送信、前記１つまたは複数のアップリンク共有チャネル送信、およびアップリンク制御情報を搬送する前記１つまたは複数のアップリンク共有チャネル送信にわたる前記ＵＥの前記電力割振りに前記優先順位を付けることが、前記複数のアップリンク制御信号送信、前記１つまたは複数のアップリンク共有チャネル送信、およびアップリンク制御情報を搬送する前記１つまたは複数のアップリンク共有チャネル送信にわたる前記電力割振りをスケール変更する、上記Ｃ４８に記載のコンピュータプログラム製品。
［Ｃ５１］
前記コンピュータにスケール変更させるための前記プログラムコードが、
均一、または
加重
のうちの１つである、上記Ｃ５０に記載のコンピュータプログラム製品。
［Ｃ５２］
ワイヤレスネットワーク内のワイヤレス通信のためのコンピュータプログラム製品であって、
プログラムコードを記録している非一時的コンピュータ可読媒体を備え、前記プログラムコードが、
ユーザ機器（ＵＥ）により、前記ＵＥのマルチプルアップリンク能力を報告することをコンピュータに行わせるためのプログラムコードと、
１つまたは複数のタイミング調整グループ（ＴＡＧ）に属する１つまたは複数のコロケートされていないノード向けのマルチフローアップリンク送信を前記ＵＥが行うための構成を受信することを前記コンピュータに行わせるためのプログラムコードと
を含み、ここにおいて、前記１つまたは複数のコロケートされていないノードの各々が、前記１つまたは複数のＴＡＧのうちの別々のＴＡＧに属する、
コンピュータプログラム製品。
［Ｃ５３］
ワイヤレスネットワーク内のワイヤレス通信のためのコンピュータプログラム製品であって、
プログラムコードを記録している非一時的コンピュータ可読媒体を備え、前記プログラムコードが、
ユーザ機器（ＵＥ）により、前記ＵＥとマルチフロー通信する複数のコロケートされていないノードの各々についての複数のサウンディング基準信号（ＳＲＳ）を生成することをコンピュータに行わせるためのプログラムコードと、
前記ＵＥにおいて、前記ＵＥがシングルアップリンク能力を有すると決定することを前記コンピュータに行わせるためのプログラムコードと、
前記複数のコロケートされていないノードの各々についてのセル識別子（ＩＤ）を識別することを前記コンピュータに行わせるためのプログラムコードと、
前記複数のＳＲＳのうちの２つ以上のＳＲＳの衝突が検出されたサブフレームにおいて前記セルＩＤにしたがって前記複数のＳＲＳの送信に優先順位を付けることを前記コンピュータに行わせるためのプログラムコードと
を含む、
コンピュータプログラム製品。
［Ｃ５４］
最も高い優先順位のセルＩＤを有する、前記複数のコロケートされていないノードのうちの優先されたセルについて前記複数のＳＲＳのうちの第１のＳＲＳを送信することを前記コンピュータに行わせるためのプログラムコードと、
前記最も高い優先順位のセルＩＤよりも低い優先順位のセルＩＤを有する、前記複数のコロケートされていないノードのうちの残りのノードについて前記複数のＳＲＳのうちの残りのＳＲＳすべての送信を破棄することを前記コンピュータに行わせるためのプログラムコードと
をさらに備える、上記Ｃ５３に記載のコンピュータプログラム製品。
［Ｃ５５］
前記最も高い優先順位のセルＩＤが、前記複数のＳＲＳのうちの２つ以上のＳＲＳの衝突が検出された前記複数のコロケートされていないノードの中で最も低いセルＩＤに対応する、上記Ｃ５４に記載のコンピュータプログラム製品。
［Ｃ５６］
ワイヤレスネットワーク内のワイヤレス通信のためのコンピュータプログラム製品であって、
プログラムコードを記録している非一時的コンピュータ可読媒体を備え、前記プログラムコードが、
複数のコロケートされていないノードとのマルチフロー動作のために構成されたユーザ機器（ＵＥ）において、前記複数のコロケートされていないノードのうちのセカンダリノードについての電力ヘッドルーム報告を準備することをコンピュータに行わせるためのプログラムコードと、ここにおいて、前記電力ヘッドルーム報告は、前記セカンダリノードに対するアップリンク制御信号送信に割り振られた第１の送信電力とアップリンク共有チャネル送信に割り振られた第２の送信電力とを引いた前記セカンダリノードのための前記ＵＥの最大許容送信電力を含む、
前記セカンダリノードに前記電力ヘッドルーム報告を送信することを前記コンピュータに行わせるためのプログラムコードと
を含む、
コンピュータプログラム製品。
［Ｃ５７］
前記セカンダリノードについての電力ヘッドルーム報告をコンパイルするために前記ＵＥを構成する無線リソース制御（ＲＲＣ）メッセージを受信することを前記コンピュータに行わせるためのプログラムコード
をさらに備える、上記Ｃ５６に記載のコンピュータプログラム製品。
［Ｃ５８］
前記第１の送信電力が、シングルコンポーネントキャリア（ＣＣ）上の１つまたは複数のアップリンク制御信号送信に割り振られたアップリンク制御信号送信電力を備え、前記第２の送信電力が、前記シングルＣＣ上の１つまたは複数のアップリンク共有チャネル送信に割り振られたアップリンク共有チャネル送信電力を備える、上記Ｃ５６に記載のコンピュータプログラム製品。
［Ｃ５９］
ワイヤレスネットワーク内のワイヤレス通信のためのコンピュータプログラム製品であって、
プログラムコードを記録している非一時的コンピュータ可読媒体を備え、前記プログラムコードが、
複数のコロケートされていないノードのうちのセカンダリノードにおいて、前記複数のコロケートされていないノードとのマルチフロー動作のために構成されたサービスされるユーザ機器（ＵＥ）から電力ヘッドルーム報告を受信することをコンピュータに行わせるためのプログラムコードと、ここにおいて、前記電力ヘッドルーム報告は、前記セカンダリノードに対するアップリンク制御信号送信に割り振られた第１の送信電力とアップリンク共有チャネル送信に割り振られた第２の送信電力とを引いた前記ＵＥの最大許容送信電力を含む、
前記セカンダリノードにおいて、前記電力ヘッドルーム報告に基づいて前記サービスされるＵＥとの通信をスケジュールすることを前記コンピュータに行わせるためのプログラムコードと
を含む、
コンピュータプログラム製品。
［Ｃ６０］
前記第１の送信電力が、シングルコンポーネントキャリア（ＣＣ）上の１つまたは複数のアップリンク制御信号送信に割り振られたアップリンク制御信号送信電力を備え、前記第２の送信電力が、前記シングルＣＣ上の１つまたは複数のアップリンク共有チャネル送信に割り振られたアップリンク共有チャネル送信電力を備える、上記Ｃ５９に記載のコンピュータプログラム製品。
［Ｃ６１］
ワイヤレスネットワーク内のワイヤレス通信のためのコンピュータプログラム製品であって、
プログラムコードを記録している非一時的コンピュータ可読媒体を備え、前記プログラムコードが、
複数のコロケートされていないノードとのマルチフロー動作のために構成されたユーザ機器（ＵＥ）において、前記複数のコロケートされていないノードの１つまたは複数のセカンダリセルについての不連続受信（ＤＲＸ）サブフレームのセカンダリセットのための構成を受信することをコンピュータに行わせるためのプログラムコードと、ここにおいて、１つまたは複数のセカンダリセルについてのＤＲＸサブフレームの前記セカンダリセットは、前記複数のコロケートされていないノードのプライマリセルのＤＲＸサブフレームのプライマリセットとは別である、
前記ＵＥにより、ＤＲＸサブフレームの前記セカンダリセットにしたがって前記ＵＥの１つまたは複数の無線をチューンアウェイすることを前記コンピュータに行わせるためのプログラムコードと
を含む、
コンピュータプログラム製品。
［Ｃ６２］
ＤＲＸサブフレームの前記プライマリセットとは別のＤＲＸサブフレームの前記セカンダリセットが、ＤＲＸサブフレームの前記プライマリセットの拡張である、上記Ｃ６１に記載のコンピュータプログラム製品。
［Ｃ６３］
ＤＲＸサブフレームの前記セカンダリセットが、
ＤＲＸサブフレームの前記プライマリセットのサブセット、または
ＤＲＸサブフレームの前記プライマリセットのスーパーセット
のうちの１つを備える、上記Ｃ６２に記載のコンピュータプログラム製品。
［Ｃ６４］
ワイヤレス通信用に構成された装置であって、前記装置が、
少なくとも１つのプロセッサと、
前記少なくとも１つのプロセッサに結合されたメモリと
を備え、
ここにおいて、前記少なくとも１つのプロセッサが、
ユーザ機器（ＵＥ）において、複数のコンポーネントキャリア（ＣＣ）を介して前記ＵＥとマルチフロー通信する複数のノードについての複数のアップリンク制御チャネル送信をコンパイルすることと、ここにおいて、前記複数のアップリンク制御チャネル送信の各々は、対応するノードに関連付けられた前記複数のＣＣのうちの１つのＣＣ上の前記複数のノードのうちの前記対応するノードのために構成される、
少なくとも１つのセカンダリセル（ＳＣｅｌｌ）から送信電力制御コマンドを受信することと、ここにおいて、前記送信電力制御は、前記少なくとも１つのＳＣｅｌｌからのダウンリンク制御情報メッセージ内で受信される、
前記送信電力制御コマンドに従って前記少なくとも１つのＳＣｅｌｌに前記複数のアップリンク制御チャネル送信のうちの１つのアップリンク制御チャネル送信を送信することと
を行うように構成される、
装置。
［Ｃ６５］
前記送信電力制御コマンドが、前記ダウンリンク制御情報メッセージに割り振られた複数の既存ビットのサブセットを再利用する、上記Ｃ６４に記載の装置。
［Ｃ６６］
前記少なくとも１つのＳＣｅｌｌが、無線リソース制御（ＲＲＣ）構成メッセージを使用して前記送信電力制御コマンドを送信するように構成された、上記Ｃ６４に記載の装置。
［Ｃ６７］
前記ダウンリンク制御情報メッセージに割り振られた既存ビットに加えて、前記送信電力制御コマンドが前記ダウンリンク制御情報メッセージに含まれる、上記Ｃ６４に記載の装置。
［Ｃ６８］
ワイヤレス通信用に構成された装置であって、前記装置が、
少なくとも１つのプロセッサと、
前記少なくとも１つのプロセッサに結合されたメモリと
を備え、
ここにおいて、前記少なくとも１つのプロセッサが、
ユーザ機器（ＵＥ）において、２つ以上のコロケートされていないノードに対するマルチフローアップリンク送信のために複数のアップリンク制御チャネル送信と１つまたは複数のアップリンク共有チャネル送信とを準備することと、
前記ＵＥにおいて、前記ＵＥが電力制限されていると決定することと、
前記複数のアップリンク制御信号送信にわたる電力割振りの適用が前記１つまたは複数のアップリンク共有チャネル送信にわたる前記電力割振りの適用よりも優先される優先順位付けに従って、前記ＵＥの前記電力割振りを適用することとを
を行うように構成される、
装置。
［Ｃ６９］
前記１つまたは複数のアップリンク共有チャネル送信のうちのアップリンク制御情報を搬送する送信にわたる前記電力割振りを、前記１つまたは複数のアップリンク共有チャネルのうちのアップリンク制御情報を搬送しない他の送信にわたる前記電力割振りを適用することよりも上の優先順位で適用することによって、前記１つまたは複数のアップリンク共有チャネル送信にわたる前記ＵＥの前記電力割振りの前記適用がさらに優先される、上記Ｃ６８に記載のコンピュータプログラム製品。
［Ｃ７０］
前記複数のアップリンク制御信号送信、前記１つまたは複数のアップリンク共有チャネル送信、およびアップリンク制御情報を搬送する前記１つまたは複数のアップリンク共有チャネル送信にわたる前記ＵＥの前記電力割振りに前記優先順位を付けることが、前記ＵＥと通信するプライマリセルに対する送信に最も高い優先順位を割り当てる、上記Ｃ６９に記載のコンピュータプログラム製品。
［Ｃ７１］
前記複数のアップリンク制御信号送信、前記１つまたは複数のアップリンク共有チャネル送信、およびアップリンク制御情報を搬送する前記１つまたは複数のアップリンク共有チャネル送信にわたる前記ＵＥの前記電力割振りに前記優先順位を付けることが、前記複数のアップリンク制御信号送信、前記１つまたは複数のアップリンク共有チャネル送信、およびアップリンク制御情報を搬送する前記１つまたは複数のアップリンク共有チャネル送信にわたる前記電力割振りをスケール変更する、上記Ｃ６９に記載のコンピュータプログラム製品。
［Ｃ７２］
スケール変更する前記少なくとも１つのプロセッサの前記構成が、
均一、または
加重
のうちの１つである、上記Ｃ７１に記載のコンピュータプログラム製品。
［Ｃ７３］
ワイヤレス通信用に構成された装置であって、前記装置が、
少なくとも１つのプロセッサと、
前記少なくとも１つのプロセッサに結合されたメモリと
を備え、
ここにおいて、前記少なくとも１つのプロセッサが、
ユーザ機器（ＵＥ）により、前記ＵＥのマルチプルアップリンク能力を報告することと、
１つまたは複数のタイミング調整グループ（ＴＡＧ）に属する１つまたは複数のコロケートされていないノードについてのマルチフローアップリンク送信を前記ＵＥが行うための構成を受信することと
を行うように構成される、ここにおいて、前記１つまたは複数のコロケートされていないノードの各々が、前記１つまたは複数のＴＡＧのうちの別々のＴＡＧに属する、
装置。
［Ｃ７４］
ワイヤレス通信用に構成された装置であって、前記装置が、
少なくとも１つのプロセッサと、
前記少なくとも１つのプロセッサに結合されたメモリと
を備え、
ここにおいて、前記少なくとも１つのプロセッサが、
ユーザ機器（ＵＥ）により、前記ＵＥとマルチフロー通信する複数のコロケートされていないノードの各々についての複数のサウンディング基準信号（ＳＲＳ）を生成することと、
前記ＵＥにおいて、前記ＵＥがシングルアップリンク能力を有すると決定することと、
前記複数のコロケートされていないノードの各々についてのセル識別子（ＩＤ）を識別することと、
前記複数のＳＲＳのうちの２つ以上のＳＲＳの衝突が検出されたサブフレームにおいて前記セルＩＤにしたがって前記複数のＳＲＳの送信に優先順位を付けることと
を行うように構成される、
装置。
［Ｃ７５］
最も高い優先順位のセルＩＤを有する、前記複数のコロケートされていないノードのうちの優先されたセルについて前記複数のＳＲＳのうちの第１のＳＲＳを送信することと、
前記最も高い優先順位のセルＩＤよりも低い優先順位のセルＩＤを有する、前記複数のコロケートされていないノードのうちの残りのノードについて前記複数のＳＲＳのうちの残りのＳＲＳすべての送信を破棄することと
を行う、前記少なくとも１つのプロセッサの構成をさらに備える、上記Ｃ７４に記載の装置。
［Ｃ７６］
前記最も高い優先順位のセルＩＤが、前記複数のＳＲＳのうちの２つ以上のＳＲＳの衝突が検出された前記複数のコロケートされていないノードの中で最も低いセルＩＤに対応する、上記Ｃ７５に記載の装置。
［Ｃ７７］
ワイヤレス通信用に構成された装置であって、前記装置が、
少なくとも１つのプロセッサと、
前記少なくとも１つのプロセッサに結合されたメモリと
を備え、
ここにおいて、前記少なくとも１つのプロセッサが、
複数のコロケートされていないノードとのマルチフロー動作のために構成されたユーザ機器（ＵＥ）において、前記複数のコロケートされていないノードのうちのセカンダリノードについての電力ヘッドルーム報告を準備することと、ここにおいて、前記電力ヘッドルーム報告は、前記セカンダリノードに対するアップリンク制御信号送信に割り振られた第１の送信電力とアップリンク共有チャネル送信に割り振られた第２の送信電力とを引いた前記セカンダリノードのための前記ＵＥの最大許容送信電力を含む、
前記セカンダリノードに前記電力ヘッドルーム報告を送信することと
を行うように構成される、
装置。
［Ｃ７８］
前記セカンダリノードについての電力ヘッドルーム報告をコンパイルするために前記ＵＥを構成する無線リソース制御（ＲＲＣ）メッセージを受信する、前記少なくとも１つのプロセッサの構成をさらに備える、上記Ｃ７７に記載の装置。
［Ｃ７９］
前記第１の送信電力が、シングルコンポーネントキャリア（ＣＣ）上の１つまたは複数のアップリンク制御信号送信に割り振られたアップリンク制御信号送信電力を備え、前記第２の送信電力が、前記シングルＣＣ上の１つまたは複数のアップリンク共有チャネル送信に割り振られたアップリンク共有チャネル送信電力を備える、上記Ｃ７７に記載の装置。
［Ｃ８０］
ワイヤレス通信用に構成された装置であって、前記装置が、
少なくとも１つのプロセッサと、
前記少なくとも１つのプロセッサに結合されたメモリと
を備え、
ここにおいて、前記少なくとも１つのプロセッサが、
複数のコロケートされていないノードのうちのセカンダリノードにおいて、前記複数のコロケートされていないノードとのマルチフロー動作のために構成されたサービスされるユーザ機器（ＵＥ）から電力ヘッドルーム報告を受信することと、ここにおいて、前記電力ヘッドルーム報告は、前記セカンダリノードに対するアップリンク制御信号送信に割り振られた第１の送信電力とアップリンク共有チャネル送信に割り振られた第２の送信電力とを引いた前記ＵＥの最大許容送信電力を含む、
前記セカンダリノードにおいて、前記電力ヘッドルーム報告に基づいて前記サービスされるＵＥとの通信をスケジュールすることと
を行うように構成される、
装置。
［Ｃ８１］
前記第１の送信電力が、シングルコンポーネントキャリア（ＣＣ）上の１つまたは複数のアップリンク制御信号送信に割り振られたアップリンク制御信号送信電力を備え、前記第２の送信電力が、前記シングルＣＣ上の１つまたは複数のアップリンク共有チャネル送信に割り振られたアップリンク共有チャネル送信電力を備える、上記Ｃ８０に記載の装置。
［Ｃ８２］
ワイヤレス通信用に構成された装置であって、前記装置が、
少なくとも１つのプロセッサと、
前記少なくとも１つのプロセッサに結合されたメモリと
を備え、
ここにおいて、前記少なくとも１つのプロセッサが、
複数のコロケートされていないノードとのマルチフロー動作のために構成されたユーザ機器（ＵＥ）において、前記複数のコロケートされていないノードの１つまたは複数のセカンダリセルについての不連続受信（ＤＲＸ）サブフレームのセカンダリセットのための構成を受信することと、ここにおいて、１つまたは複数のセカンダリセルについてのＤＲＸサブフレームの前記セカンダリセットは、前記複数のコロケートされていないノードのプライマリセルのＤＲＸサブフレームのプライマリセットとは別である、
前記ＵＥにより、ＤＲＸサブフレームの前記セカンダリセットにしたがって前記ＵＥの１つまたは複数の無線をチューンアウェイすることと
を行うように構成される、
装置。
［Ｃ８３］
ＤＲＸサブフレームの前記プライマリセットとは別のＤＲＸサブフレームの前記セカンダリセットが、ＤＲＸサブフレームの前記プライマリセットの拡張である、上記Ｃ８２に記載の装置。
［Ｃ８４］
ＤＲＸサブフレームの前記セカンダリセットが、
ＤＲＸサブフレームの前記プライマリセットのサブセット、または
ＤＲＸサブフレームの前記プライマリセットのスーパーセット
のうちの１つを備える、上記Ｃ８３に記載の装置。
【図１】
0006262247.tif 000002
【図２】
0006262247.tif 000003
【図３】
0006262247.tif 000004
【図４Ａ】
0006262247.tif 000005
【図４Ｂ】
0006262247.tif 000006
【図５】
0006262247.tif 000007
【図６】
0006262247.tif 000008
【図７】
0006262247.tif 000009
【図８】
0006262247.tif 000010
【図９】
0006262247.tif 000011
【図１０】
0006262247.tif 000012
【図１１】
0006262247.tif 000013
【図１２】
0006262247.tif 000014
【図１３】
0006262247.tif 000015